(57)【特許請求の範囲】
【請求項１】
相互に対向させた折り畳み状態と、前記折り畳み状態で対向する領域が外部に露出する展開状態とにわたって、相互に角変位自在に連結される第１および第２可動部と、
前記第１および第２可動部を相互に対向させた折り畳み状態で、前記第２可動部の前記第１可動部に対向する領域に設けられ、前記展開状態で情報を入力する内部側操作部と、
前記第１および第２可動部を相互に対向させた折り畳み状態で、前記第１可動部の前記第２可動部に対向する領域に設けられ、前記展開状態で前記内部側操作部によって入力された情報に応答して表示内容を表示する内部側表示部と、
前記第１および第２可動部を相互に対向させた折り畳み状態で、前記第１および第２可動部のうち少なくともいずれか一方の外部に露出する領域に設けられ、表示内容を表示する外部側表示部と、
前記第１および第２可動部を相互に対向させた折り畳み状態で、前記第１および第２可動部の前記外部に露出する領域のうち前記外部側表示部に関して背後となる領域を除く残余の領域に設けられ、前記外部側表示部に表示される表示内容に関する所定の情報を入力する外部側操作部と、
前記内部側操作部および前記外部側操作部のうちいずれか一方を能動化し、かつ前記内部側操作部および前記外部側操作部のうちの他方を不能動化する操作切替キーとを含むことを特徴とする携帯型情報処理装置。
【請求項２】
相互に対向させた折り畳み状態と、前記折り畳み状態で対向する領域が外部に露出する展開状態とにわたって、相互に角変位自在に連結される第１および第２可動部と、
前記第１および第２可動部を相互に対向させた折り畳み状態で、前記第２可動部の前記第１可動部に対向する領域に設けられ、前記展開状態で情報を入力する内部側操作部と、
前記第１および第２可動部を相互に対向させた折り畳み状態で、前記第１可動部の前記第２可動部に対向する領域に設けられ、前記展開状態で前記内部側操作部によって入力された情報に応答して表示内容を表示する内部側表示部と、
前記第１および第２可動部を相互に対向させた折り畳み状態で、前記第１および第２可動部のうち少なくともいずれか一方の外部に露出する領域に設けられ、表示内容を表示する外部側表示部と、
前記第１および第２可動部を相互に対向させた折り畳み状態で、前記第１および第２可動部の前記外部に露出する領域のうち前記外部側表示部に関して背後となる領域を除く残余の領域に設けられ、前記外部側表示部に表示される表示内容に関する所定の情報を入力する外部側操作部と、
前記外部側操作部を能動化し、前記内部側操作部を不能動化する操作切替キーとを含むことを特徴とする携帯型情報処理装置。
【請求項３】
相互に対向させた折り畳み状態と、前記折り畳み状態で対向する領域が外部に露出する展開状態とにわたって、相互に角変位自在に連結される第１および第２可動部と、
前記第１および第２可動部を相互に対向させた折り畳み状態で、前記第２可動部の前記第１可動部に対向する領域に設けられ、前記展開状態で情報を入力する内部側操作部と、
前記第１および第２可動部を相互に対向させた折り畳み状態で、前記第１可動部の前記第２可動部に対向する領域に設けられ、前記展開状態で前記内部側操作部によって入力された情報に応答して表示内容を表示する内部側表示部と、
前記第１および第２可動部を相互に対向させた折り畳み状態で、前記第１および第２可動部のうち少なくともいずれか一方の外部に露出する領域に設けられ、表示内容を表示する外部側表示部と、
前記第１および第２可動部を相互に対向させた折り畳み状態で、前記第１および第２可動部の前記外部に露出する領域のうち前記外部側表示部に関して背後となる領域を除く残余の領域に設けられ、前記外部側表示部に表示される表示内容に関する所定の情報を入力する外部側操作部と、
前記内部側操作部および前記外部側操作部のうちいずれの操作部からの入力を有効とするのかを変更する操作切替キーとを含むことを特徴とする携帯型情報処理装置。
【請求項４】
相互に対向させた折り畳み状態と、前記折り畳み状態で対向する領域が外部に露出する展開状態とにわたって、相互に角変位自在に連結される第１および第２可動部と、
前記第１および第２可動部を相互に対向させた折り畳み状態で、前記第２可動部の前記第１可動部に対向する領域に設けられ、前記展開状態で情報を入力する内部側操作部と、
前記第１および第２可動部を相互に対向させた折り畳み状態で、前記第１可動部の前記第２可動部に対向する領域に設けられ、前記展開状態で前記内部側操作部によって入力された情報に応答して表示内容を表示する内部側表示部と、
前記第１および第２可動部を相互に対向させた折り畳み状態で、前記第１および第２可動部のうち少なくともいずれか一方の外部に露出する領域に設けられ、表示内容を表示する外部側表示部と、
前記第１および第２可動部を相互に対向させた折り畳み状態で、前記第１および第２可動部の前記外部に露出する領域のうち前記外部側表示部に関して背後となる領域を除く残余の領域に設けられ、前記外部側表示部に表示される表示内容に関する所定の情報を入力する外部側操作部と、
前記内部側操作部および前記外部側操作部は、前記内部側操作部および前記外部側操作部のうちいずれか一方を能動化し、かつ前記内部側操作部および前記外部側操作部のうちいずれか他方を不能動化する操作切替キーを有することを特徴とする携帯型情報処理装置。
【請求項５】
相互に対向させた折り畳み状態と、前記折り畳み状態で対向する領域が外部に露出する展開状態とにわたって、相互に角変位自在に連結される第１および第２可動部と、
前記第１および第２可動部を相互に対向させた折り畳み状態で、前記第２可動部の前記第１可動部に対向する領域に設けられ、前記展開状態で情報を入力する内部側操作部と、
前記第１および第２可動部を相互に対向させた折り畳み状態で、前記第１可動部の前記第２可動部に対向する領域に設けられ、前記展開状態で前記内部側操作部によって入力された情報に応答して表示内容を表示する内部側表示部と、
前記第１および第２可動部を相互に対向させた折り畳み状態で、前記第１および第２可動部のうち少なくともいずれか一方の外部に露出する領域に設けられ、表示内容を表示する外部側表示部と、
前記第１および第２可動部を相互に対向させた折り畳み状態で、前記第１および第２可動部の前記外部に露出する領域のうち前記外部側表示部に関して背後となる領域を除く残余の領域に設けられ、前記外部側表示部に表示される表示内容に関する所定の情報を入力する外部側操作部と、
前記内部側操作部および前記外部側操作部のうちいずれの操作部からの入力を有効とするかを変更する操作切替キーと、
前記折り畳み状態および前記展開状態を検出する状態検出部と、
制御部とを含み、
前記制御部は、
前記状態検出部によって検出される状態が変化すると、前記内部側操作部および前記外部側操作部のうちいずれか一方からの入力を有効とし、かつ前記内部側操作部および前記外部側操作部のうちの他方からの入力を無効とし、
前記操作切替キーが操作されると前記内部側操作部および前記外部側操作部のうちいずれの操作部からの入力を有効とするかを変更することを特徴とする携帯型情報処理装置。
【請求項６】
前記制御部は、
前記状態検出部によって検出される状態が前記展開状態から前記折り畳み状態に変化すると、前記内部側操作部からの入力を無効とし、かつ前記外部側操作部からの入力を有効とし、
前記状態検出部によって検出される状態が前記折り畳み状態から前記展開状態に変化すると、前記内部側操作部からの入力を有効とし、かつ前記外部側操作部からの入力を無効とする請求項５記載の携帯型情報処理装置。
【請求項７】
前記第１および第２可動部を相互に対向させた折畳み状態で、外部に露出する領域に、外部に臨んで設けられる撮像部と、
前記内部側操作部および前記外部側操作部のうちいずれか一方によって入力された情報に応答して前記撮像部に撮像させ、前記撮像部で撮像された画像を、前記撮像部で撮像するための情報を入力した前記内部側操作部および前記外部側操作部のうちいずれか一方に対応する前記内部側表示部および前記外部側表示部のうち少なくともいずれか一方に表示させる制御部とを含むことを特徴とする請求項１〜５のいずれか１つに記載の携帯型情報処理装置。
【請求項８】
前記外部側操作部は、撮像に関する機能の設定を行う項目を含む機能メニュー画面を前記外部側表示部に表示させるための操作キーを少なくとも有し、前記操作キーによって前記外部側表示部に表示される機能メニュー画面の各項目を選択可能に設けられることを特徴とする請求項７記載の携帯型情報処理装置。
【請求項９】
前記制御部は、前記展開状態のとき、前記内部側表示部に前記撮像部によって撮像された画像を表示させ、前記展開状態から前記折り畳み状態に切替わると、前記撮像部によって撮像された画像を前記内部側表示部から前記外部側表示部に切替えて表示させることを特徴とする請求項５または６記載の携帯型情報処理装置。
【請求項１０】
画像データを記憶するメモリを含み、
前記内部側操作部は、前記撮像部によって撮像された画像データを前記メモリに保存するための操作キーを含むことを特徴とする請求項７または８のいずれか１つに記載の携帯型情報処理装置。
【請求項１１】
前記内部側操作部は、シャッタキーを含むことを特徴とする請求項７、８または１０に記載の携帯型情報処理装置。
【請求項１２】
画像データを記憶するメモリを含み、
前記外部側操作部は、前記撮像部によって撮像された画像データを前記メモリに保存するための操作キーを含むことを特徴とする請求項７または８記載の携帯型情報処理装置。
【請求項１３】
前記外部側操作部は、シャッタキーを含むことを特徴とする請求項７または８記載の携帯型情報処理装置。
【請求項１４】
前記外部側表示部には、前記外部側操作部の前記操作キーの説明が表示されることを特徴とする請求項８または１２記載の携帯型情報処理装置。
【請求項１５】
前記外部側操作部は、前記外部側表示部の表示面が臨む側と同一側に臨んで設けられ、
前記外部側表示部の表示画面の前記操作キー寄りの端部領域に、前記操作キーの説明を示す操作キー説明領域が設けられることを特徴とする請求項１４記載の携帯型情報処理装置。
【請求項１６】
前記制御部は、前記撮像部で撮像した画像を前記外部側表示部に表示させている状態で、前記操作キーが操作されたとき、前記機能メニュー画面を前記外部側表示部に表示させることを特徴とする請求項８記載の携帯型情報処理装置。
【請求項１７】
前記外部側操作部は、上キーと下キーとを少なくとも有し、
前記制御部は、前記上キーおよび前記下キーが押下されることによって、前記機能メニュー画面上に表示されるカーソルを移動させて項目を選択することを特徴とする請求項８記載の携帯型情報処理装置。
【請求項１８】
前記外部側操作部は、中央キーをさらに有し、
前記制御部は、前記中央キーが押下されることによって、前記機能メニュー画面上に表示されるカーソルで選択された項目の決定または取り消しを行うことを特徴とする請求項１７記載の携帯型情報処理装置。
【請求項１９】
請求項１〜１８のいずれか１つに記載の携帯型情報処理装置を含む携帯電話機。
【請求項２０】
少なくとも前記折り畳み状態を検出する状態検出部と、
前記第１および第２可動部を相互に対向させた折畳み状態で、外部に露出する領域に、外部に臨んで設けられる撮像部と、
前記内部側操作部および前記外部側操作部のうちいずれか一方によって入力された情報に応答して前記撮像部に撮像させ、前記撮像部で撮像された画像を、前記撮像部で撮像するための情報を入力した前記内部側操作部および前記外部側操作部のうちいずれか一方に対応する前記内部側表示部および前記外部側表示部のうち少なくともいずれか一方に表示させる制御部とを含み、
前記制御部は、前記状態検出部が前記折り畳み状態であることを検出すると、前記撮像部によって撮像された画像と、前記外部側操作部で設定された現状の撮像に関する設定状態を表す内容とを、前記外部側表示部に表示させることを特徴とする請求項１〜４のいずれか１つに記載の携帯型情報処理装置。
【請求項２１】
前記第１および第２可動部を相互に対向させた折畳み状態で、外部に露出する領域に、外部に臨んで設けられる撮像部を含み、
前記制御部は、
前記内部側操作部および前記外部側操作部のうちいずれか一方によって入力された情報に応答して前記撮像部に撮像させ、前記撮像部で撮像された画像を、前記撮像部で撮像するための情報を入力した前記内部側操作部および前記外部側操作部のうちいずれか一方に対応する前記内部側表示部および前記外部側表示部のうち少なくともいずれか一方に表示させ、
前記状態検出部によって検出される状態が前記展開状態から前記折り畳み状態に変化すると、前記内部側操作部による情報の入力を無効とし、前記撮像部によって撮像された画像と、前記外部側操作部で設定された現状の撮像に関する設定状態を表す内容とを、前記外部側表示部に表示させることを特徴とする請求項５記載の携帯型情報処理装置。
【請求項２２】
前記第１および第２可動部を相互に対向させた折畳み状態で、外部に露出する領域に、外部に臨んで設けられる撮像部を含み、
前記制御部は、
前記内部側操作部および前記外部側操作部のうちいずれか一方によって入力された情報に応答して前記撮像部に撮像させ、前記撮像部で撮像された画像を、前記撮像部で撮像するための情報を入力した前記内部側操作部および前記外部側操作部のうちいずれか一方に対応する前記内部側表示部および前記外部側表示部のうち少なくともいずれか一方に表示させる制御部とを含み、
前記状態検出部によって検出される状態が前記折り畳み状態から前記展開状態に変化すると、前記外部側操作部による情報の入力を無効とし、前記内部側操作部による情報の入力を有効とし、
前記状態検出部によって検出される状態が前記展開状態から前記折り畳み状態に変化すると、前記撮像部によって撮像された画像と、前記外部側操作部で設定された現状の撮像に関する設定状態を表す内容とを、前記外部側表示部に表示させることを特徴とする請求項５記載の携帯型情報処理装置。
【請求項２３】
前記第１および第２可動部を相互に対向させた折畳み状態で、外部に露出する領域に、外部に臨んで設けられる撮像部を含み、
前記外部側操作部および前記撮像部は、前記外部側表示部の表示面が臨む側と同一側に臨んで設けられ、
前記外部側操作部および前記撮像部は、前記外部側表示部を挟んで設けられることを特徴とする請求項１〜６のいずれか１つに記載の携帯型情報処理装置。
【請求項２４】
前記外部側表示部の表示面は、前記内部側表示部の表示面よりも小さく形成され、
前記制御部は、前記内部側表示部に表示させる機能メニュー画面の項目に比べて、設定可能な機能が制限された状態で前記外部側表示部に機能メニュー画面の項目を表示させることを特徴とする請求項５〜２２のいずれか１つに記載の携帯型情報処理装置。
【請求項２５】
前記外部側表示部は、半透過半反射型液晶表示素子であり、
表示面側から臨んで前記外部側操作部の背後に設けられるバックライトを有し、
前記制御部は、点灯してから予め定める時間が経過するとバックライトを消灯することを特徴とする請求項５〜２２，２４のいずれか１つに記載の携帯型情報処理装置。
【発明の詳細な説明】
【技術分野】
【０００１】
本発明は、折り畳み型の携帯型情報処理装置に関し、折り畳まれた状態で、内部側および外部側のいずれにも表示部を有する携帯型情報処理装置に関する。
【背景技術】
【０００２】
第１の従来の技術として、第１の液晶表示装置と第２の液晶表示装置とを有し、第１の液晶表示装置を、機体を開いたときのカバーの内側に設けるとともに、第２の液晶表示装置を機体を開かなくても情報を確認することができる位置に配置している携帯電話装置がある。このような携帯電話装置では、機体を開いて操作部から所定の情報を入力する（たとえば、特許文献１参照）。
【０００３】
図２９は、第２の従来の技術の携帯型情報処理装置である携帯電話装置１を一方側から見た斜視図であり、図３０は携帯電話装置１を他方側から見た斜視図である。なお図２９では、展開状態の携帯電話装置１を示し、図３０では、折り畳み状態の携帯電話装置１を示す。
【０００４】
携帯電話装置１は、第１可動部２と第２可動部３とが、これらが相互に対向する折り畳み状態と、前記折り畳み状態で対向する領域が外部に露出する展開状態とにわたって、ヒンジ部４によって相互に角変位自在に連結されて構成される。第１および第２可動部２，３を相互に対向させた折り畳み状態で、第２可動部３の第１可動部２に対向する領域には、所定の情報を入力する操作部５が設けられ、第１可動部２の第２可動部３に対向する領域には、内部側表示部６が設けられる。
【０００５】
第１および第２可動部２，３を相互に対向させた折り畳み状態で、第１可動部２の外部に露出する領域であって、内部側表示部６側から携帯電話装置１を見て内部側表示部６の背後となる領域には、外部側表示部７が設けられる。また第１可動部２には、外部側表示部７の表示面が臨む側と同一側に臨んで撮像部８が設けられる。
【０００６】
携帯電話装置１では、前記操作部５によって入力された所定の情報に応答して、内部側表示部および外部側表示部のうち少なくともいずれか一方に所定の表示内容、たとえば撮像部８で撮像された画像を表示させることができる。
【０００７】
前記第１可動部２には、その側部にシャッタボタン９が設けられる。携帯電話装置１は、内部にメモリを有し、操作者が前記シャッタボタン９を操作することによって、撮像部８で撮像された画像を前記メモリに保存することができる。
【０００８】
【特許文献１】特開２００２−１４１９９３号公報
【発明の開示】
【発明が解決しようとする課題】
【０００９】
前述した第１の従来の技術の携帯電話装置では、携帯電話装置の機体を折り畳んだ状態では、操作部を操作することができず、操作者が臨む所定の表示内容を第２液晶表示装置に表示させることができない。
【００１０】
前述した第２の技術の携帯電話装置１では、第１および第２可動部２，３を相互に対向させた折り畳み状態で、外部に露出する領域にはシャッタボタン９だけが設けられる。第１および第２可動部２，３を相互に対向させた状態では、操作部５が第１可動部２に覆われ、外部に露出しないので、操作者は操作部５によって所定の情報を入力することができず、したがって第１の従来の技術の携帯電話装置と同様に、外部側表示部７に操作者が望む所定の表示内容を表示させることができない。
【００１１】
また外部側表示部７に操作者が望む所定の表示内容を表示させるためには、第１および第２可動部２，３を折り畳み状態から展開状態として、外部側表示部７に表示させる所定の表示内容に関する所定の情報を操作部５によって入力する必要がある。また第１および第２可動部２，３を展開状態として、操作部５は、外部側表示部７とは反対側を臨んで設けられるので、操作者は、外部側表示部７を見ながら操作部５によって所定の情報を入力することが困難であり、外部側表示部７に所定の表示内容を表示させる場合であっても、操作部５を操作者側に臨ませる必要がある。このように、携帯型通信装置１では、外部側表示部７に所定の表示内容を表示させるためには、第１および第２可動部２，３を展開状態として、さらに操作部５を操作者側に臨ませて所定の情報を入力する必要があるので、操作が煩わしいといった問題がある。また、操作部５を操作者側に臨ませて所定の情報を入力する場合、操作者は、所定の表示内容を表示された外部側表示部７を目視することができないので、外部側表示部７に表示された表示内容を確認するためには携帯電話装置１を反転させる必要があり、操作者の所望する表示内容を外部側表示部７に表示させる設定時間が長く係る場合が多い。
【００１２】
たとえば、撮像部８で撮像された画像を外部側表示部７に表示させて、外部側表示部７をカメラファインダとして用い、露出補正設定、ズーム／ワイド設定、画像サイズの設定、画質選択といったカメラ撮影における機能設定であって、外部側表示部７に表示される表示内容である画像に関する所定の情報を入力する必要がある場合では、操作者は、外部側表示部７とは反対側に臨む操作部５によって入力しなければならず、外部側表示部７を見ながら所定の情報を入力することが困難である。したがって、操作者は、所定の情報の入力を行う必要がある毎に携帯電話装置１を反転させる必要があり、外部側表示部７を見ながら操作部によって所定の情報の入力を行うことが困難であり、操作性が悪い。
【００１３】
本発明の目的は、第１および第２可動部を相互に対向させて折り畳んだ状態で、外部に露出する領域に設けられる表示部に撮像された画像を表示させることができ、外部側操作部によって撮像に関する機能の設定を行うことができる携帯型情報処理装置を提供することである。
【課題を解決するための手段】
【００１４】
本発明は、相互に対向させた折り畳み状態と、前記折り畳み状態で対向する領域が外部に露出する展開状態とにわたって、相互に角変位自在に連結される第１および第２可動部と、
前記第１および第２可動部を相互に対向させた折り畳み状態で、前記第２可動部の前記第１可動部に対向する領域に設けられ、前記展開状態で情報を入力する内部側操作部と、
前記第１および第２可動部を相互に対向させた折り畳み状態で、前記第１可動部の前記第２可動部に対向する領域に設けられ、前記展開状態で前記内部側操作部によって入力された情報に応答して表示内容を表示する内部側表示部と、
前記第１および第２可動部を相互に対向させた折り畳み状態で、前記第１および第２可動部のうち少なくともいずれか一方の外部に露出する領域に設けられ、表示内容を表示する外部側表示部と、
前記第１および第２可動部を相互に対向させた折り畳み状態で、前記第１および第２可動部の前記外部に露出する領域のうち前記外部側表示部に関して背後となる領域を除く残余の領域に設けられ、前記外部側表示部に表示される表示内容に関する所定の情報を入力する外部側操作部と、
前記内部側操作部および前記外部側操作部のうちいずれか一方を能動化し、かつ前記内部側操作部および前記外部側操作部のうちの他方を不能動化する操作切替キーとを含むことを特徴とする携帯型情報処理装置である。
また本発明は、相互に対向させた折り畳み状態と、前記折り畳み状態で対向する領域が外部に露出する展開状態とにわたって、相互に角変位自在に連結される第１および第２可動部と、
前記第１および第２可動部を相互に対向させた折り畳み状態で、前記第２可動部の前記第１可動部に対向する領域に設けられ、前記展開状態で情報を入力する内部側操作部と、
前記第１および第２可動部を相互に対向させた折り畳み状態で、前記第１可動部の前記第２可動部に対向する領域に設けられ、前記展開状態で前記内部側操作部によって入力された情報に応答して表示内容を表示する内部側表示部と、
前記第１および第２可動部を相互に対向させた折り畳み状態で、前記第１および第２可動部のうち少なくともいずれか一方の外部に露出する領域に設けられ、表示内容を表示する外部側表示部と、
前記第１および第２可動部を相互に対向させた折り畳み状態で、前記第１および第２可動部の前記外部に露出する領域のうち前記外部側表示部に関して背後となる領域を除く残余の領域に設けられ、前記外部側表示部に表示される表示内容に関する所定の情報を入力する外部側操作部と、
前記外部側操作部を能動化し、前記内部側操作部を不能動化する操作切替キーとを含むことを特徴とする携帯型情報処理装置である。
また本発明は、相互に対向させた折り畳み状態と、前記折り畳み状態で対向する領域が外部に露出する展開状態とにわたって、相互に角変位自在に連結される第１および第２可動部と、
前記第１および第２可動部を相互に対向させた折り畳み状態で、前記第２可動部の前記第１可動部に対向する領域に設けられ、前記展開状態で情報を入力する内部側操作部と、
前記第１および第２可動部を相互に対向させた折り畳み状態で、前記第１可動部の前記第２可動部に対向する領域に設けられ、前記展開状態で前記内部側操作部によって入力された情報に応答して表示内容を表示する内部側表示部と、
前記第１および第２可動部を相互に対向させた折り畳み状態で、前記第１および第２可動部のうち少なくともいずれか一方の外部に露出する領域に設けられ、表示内容を表示する外部側表示部と、
前記第１および第２可動部を相互に対向させた折り畳み状態で、前記第１および第２可動部の前記外部に露出する領域のうち前記外部側表示部に関して背後となる領域を除く残余の領域に設けられ、前記外部側表示部に表示される表示内容に関する所定の情報を入力する外部側操作部と、
前記内部側操作部および前記外部側操作部のうちいずれの操作部からの入力を有効とするのかを変更する操作切替キーとを含むことを特徴とする携帯型情報処理装置である。
また本発明は、相互に対向させた折り畳み状態と、前記折り畳み状態で対向する領域が外部に露出する展開状態とにわたって、相互に角変位自在に連結される第１および第２可動部と、
前記第１および第２可動部を相互に対向させた折り畳み状態で、前記第２可動部の前記第１可動部に対向する領域に設けられ、前記展開状態で情報を入力する内部側操作部と、
前記第１および第２可動部を相互に対向させた折り畳み状態で、前記第１可動部の前記第２可動部に対向する領域に設けられ、前記展開状態で前記内部側操作部によって入力された情報に応答して表示内容を表示する内部側表示部と、
前記第１および第２可動部を相互に対向させた折り畳み状態で、前記第１および第２可動部のうち少なくともいずれか一方の外部に露出する領域に設けられ、表示内容を表示する外部側表示部と、
前記第１および第２可動部を相互に対向させた折り畳み状態で、前記第１および第２可動部の前記外部に露出する領域のうち前記外部側表示部に関して背後となる領域を除く残余の領域に設けられ、前記外部側表示部に表示される表示内容に関する所定の情報を入力する外部側操作部と、
前記内部側操作部および前記外部側操作部は、前記内部側操作部および前記外部側操作部のうちいずれか一方を能動化し、かつ前記内部側操作部および前記外部側操作部のうちいずれか他方を不能動化する操作切替キーを有することを特徴とする携帯型情報処理装置である。
また本発明は、相互に対向させた折り畳み状態と、前記折り畳み状態で対向する領域が外部に露出する展開状態とにわたって、相互に角変位自在に連結される第１および第２可動部と、
前記第１および第２可動部を相互に対向させた折り畳み状態で、前記第２可動部の前記第１可動部に対向する領域に設けられ、前記展開状態で情報を入力する内部側操作部と、
前記第１および第２可動部を相互に対向させた折り畳み状態で、前記第１可動部の前記第２可動部に対向する領域に設けられ、前記展開状態で前記内部側操作部によって入力された情報に応答して表示内容を表示する内部側表示部と、
前記第１および第２可動部を相互に対向させた折り畳み状態で、前記第１および第２可動部のうち少なくともいずれか一方の外部に露出する領域に設けられ、表示内容を表示する外部側表示部と、
前記第１および第２可動部を相互に対向させた折り畳み状態で、前記第１および第２可動部の前記外部に露出する領域のうち前記外部側表示部に関して背後となる領域を除く残余の領域に設けられ、前記外部側表示部に表示される表示内容に関する所定の情報を入力する外部側操作部と、
前記内部側操作部および前記外部側操作部のうちいずれの操作部からの入力を有効とするかを変更する操作切替キーと、
前記折り畳み状態および前記展開状態を検出する状態検出部と、
制御部とを含み、
前記制御部は、
前記状態検出部によって検出される状態が変化すると、前記内部側操作部および前記外部側操作部のうちいずれか一方からの入力を有効とし、かつ前記内部側操作部および前記外部側操作部のうちの他方からの入力を無効とし、
前記操作切替キーが操作されると前記内部側操作部および前記外部側操作部のうちいずれの操作部からの入力を有効とするかを変更することを特徴とする携帯型情報処理装置である。
また本発明は、前記制御部は、
前記状態検出部によって検出される状態が前記展開状態から前記折り畳み状態に変化すると、前記内部側操作部からの入力を無効とし、かつ前記外部側操作部からの入力を有効とし、
前記状態検出部によって検出される状態が前記折り畳み状態から前記展開状態に変化すると、前記内部側操作部からの入力を有効とし、かつ前記外部側操作部からの入力を無効とする。
また本発明は、前記第１および第２可動部を相互に対向させた折畳み状態で、外部に露出する領域に、外部に臨んで設けられる撮像部と、
前記内部側操作部および前記外部側操作部のうちいずれか一方によって入力された情報に応答して前記撮像部に撮像させ、前記撮像部で撮像された画像を、前記撮像部で撮像するための情報を入力した前記内部側操作部および前記外部側操作部のうちいずれか一方に対応する前記内部側表示部および前記外部側表示部のうち少なくともいずれか一方に表示させる制御部とを含むことを特徴とする。
また本発明は、前記外部側操作部は、撮像に関する機能の設定を行う項目を含む機能メニュー画面を前記外部側表示部に表示させるための操作キーを少なくとも有し、前記操作キーによって前記外部側表示部に表示される機能メニュー画面の各項目を選択可能に設けられることを特徴とする。
【００１５】
また本発明は、前記制御部は、前記展開状態のとき、前記内部側表示部に前記撮像部によって撮像された画像を表示させ、前記展開状態から前記折り畳み状態に切替わると、前記撮像部によって撮像された画像を前記内部側表示部から前記外部側表示部に切替えて表示させることを特徴とする。
また本発明は、画像データを記憶するメモリを含み、
前記内部側操作部は、前記撮像部によって撮像された画像データを前記メモリに保存するための操作キーを含むことを特徴とする。
【００１６】
また本発明は、前記内部側操作部は、シャッタキーを含むことを特徴とする。
また本発明は、前記外部側操作部は、前記機能メニュー画面を前記外部側表示部に表示させるための操作キーを少なくとも有することを特徴とする。
また本発明は、画像データを記憶するメモリを含み、
前記外部側操作部は、前記撮像部によって撮像された画像データを前記メモリに保存するための操作キーを含むことを特徴とする。
【００１７】
また本発明は、前記外部側操作部は、シャッタキーを含むことを特徴とする。
また本発明は、前記外部側表示部には、前記外部側操作部の前記操作キーの説明が表示されることを特徴とする。
また本発明は、前記外部側操作部は、前記外部側表示部の表示面が臨む側と同一側に臨んで設けられ、
前記外部側表示部の表示画面の前記操作キー寄りの端部領域に、前記操作キーの説明を示す操作キー説明領域が設けられることを特徴とする。
【００１８】
また本発明は、前記制御部は、前記撮像部で撮像した画像を前記外部側表示部に表示させている状態で、前記操作キーが操作されたとき、前記機能メニュー画面を前記外部側表示部に表示させることを特徴とする。
また本発明は、前記外部側操作部は、上キーと下キーとを少なくとも有し、
前記制御部は、前記上キーおよび前記下キーが押下されることによって、前記機能メニュー画面上に表示されるカーソルを移動させて項目を選択することを特徴とする。
また本発明は、前記外部側操作部は、中央キーをさらに有し、
前記制御部は、前記中央キーが押下されることによって、前記機能メニュー画面上に表示されるカーソルで選択された項目の決定または取り消しを行うことを特徴とする。
また本発明は、前記携帯型情報処理装置を含む携帯電話機である。
また本発明は、前記第１および第２可動部を相互に対向させた折畳み状態で、外部に露出する領域に、外部に臨んで設けられる撮像部を含み、
前記制御部は、
前記内部側操作部および前記外部側操作部のうちいずれか一方によって入力された情報に応答して前記撮像部に撮像させ、前記撮像部で撮像された画像を、前記撮像部で撮像するための情報を入力した前記内部側操作部および前記外部側操作部のうちいずれか一方に対応する前記内部側表示部および前記外部側表示部のうち少なくともいずれか一方に表示させ、
前記状態検出部によって検出される状態が前記展開状態から前記折り畳み状態に変化すると、前記内部側操作部による情報の入力を無効とし、前記撮像部によって撮像された画像と、前記外部側操作部で設定された現状の撮像に関する設定状態を表す内容とを、前記外部側表示部に表示させることを特徴とする。
また本発明は、前記第１および第２可動部を相互に対向させた折畳み状態で、外部に露出する領域に、外部に臨んで設けられる撮像部を含み、
前記制御部は、
前記内部側操作部および前記外部側操作部のうちいずれか一方によって入力された情報に応答して前記撮像部に撮像させ、前記撮像部で撮像された画像を、前記撮像部で撮像するための情報を入力した前記内部側操作部および前記外部側操作部のうちいずれか一方に対応する前記内部側表示部および前記外部側表示部のうち少なくともいずれか一方に表示させる制御部とを含み、
前記状態検出部によって検出される状態が前記折り畳み状態から前記展開状態に変化すると、前記外部側操作部による情報の入力を無効とし、前記内部側操作部による情報の入力を有効とし、
前記状態検出部によって検出される状態が前記展開状態から前記折り畳み状態に変化すると、前記撮像部によって撮像された画像と、前記外部側操作部で設定された現状の撮像に関する設定状態を表す内容とを、前記外部側表示部に表示させることを特徴とする。
また本発明は、前記第１および第２可動部を相互に対向させた折畳み状態で、外部に露出する領域に、外部に臨んで設けられる撮像部を含み、
前記外部側操作部および前記撮像部は、前記外部側表示部の表示面が臨む側と同一側に臨んで設けられ、
前記外部側操作部および前記撮像部は、前記外部側表示部を挟んで設けられることを特徴とする。
また本発明は、前記外部側表示部の表示面は、前記内部側表示部の表示面よりも小さく形成され、
前記制御部は、前記内部側表示部に表示させる機能メニュー画面の項目に比べて、設定可能な機能が制限された状態で前記外部側表示部に機能メニュー画面の項目を表示させることを特徴とする。
また本発明は、前記外部側表示部は、半透過半反射型液晶表示素子であり、
表示面側から臨んで前記外部側操作部の背後に設けられるバックライトを有し、
前記制御部は、点灯してから予め定める時間が経過するとバックライトを消灯することを特徴とする。
【００１９】
本発明に従えば、第１および第２可動部を相互に対向させた折り畳み状態であっても、第１および第２可動部の可動部の外部に露出する領域には、この領域に設けられる外部側表示部に表示される所定の表示内容に関する所定の情報を入力する外部側操作部が設けられるので、第１および第２可動部を、第１および第２可動部の折り畳み状態で対向する領域を外部に露出させた展開状態としなくても、外部側操作部によって所定の情報を入力して、外部側表示部に所定の表示内容を表示させることができる。
【００２０】
外部側操作部は、第１および第２可動部を相互に対向させた折り畳み状態で、第１および第２可動部の外部に露出する領域のうち、外部側表示部に関して背後となる領域を除く残余の領域に設けられるので、外部側操作部は、操作者が外部側表示部を目視しながら操作可能な領域に配置される。したがって、操作者は、外部側表示部を目視しながら外部側操作部によって所定の情報を入力することができるので、外部側表示部に操作者の望む所定の表示内容を容易に表示させることができる。
【００２１】
制御部は、内部側操作部および外部側操作部のいずれか一方から入力される所定の情報に応答して撮像部に撮像させる。前記撮像部で撮像するために所定の情報を内部側操作部によって入力した場合、内部側操作部に対応する内部側表示部に少なくとも前記撮像部で撮像した画像が表示され、前記撮像部で撮像するために所定の情報を外部側操作部によって入力した場合、外部側操作部に対応する外部側表示部に少なくとも前記撮像部で撮像された画像が表示される。
【００２２】
前記外部側表示部には、機能メニュー画面が表示され、撮像に関する機能の設定を行う項目が表示される。外部側操作部によって前記各項目を選択することができる。項目は、たとえば撮像する画像のサイズを複数種類から選択するサイズ選択の項目、撮像される画像の階調数の変更を行うことができ、画像データの大きさを変更することができる画質選択の項目などを含む。
【００２３】
また撮像部は、内部側操作部および外部側操作部のいずれか一方から入力される所定の情報に応答して撮像する。撮像部は、第１可動部および第２可動部が折り畳み状態で外部に露出する領域に、外部に臨んで設けられるので、折り畳んだ状態であっても、所望の画像を撮像することができる。
【００２４】
また前記外部側操作部には、撮像に関する設定状態に係わる情報を入力する操作キーが設けられるので、外部側表示部に表示される撮像された画像を確認しながら容易に入力することができる。
【００２５】
内部側操作部に設けられる操作キーによって撮像に関する設定状態に係わる情報を入力することができるので、内部側表示部に画像を表示させた場合、内部側操作部を目視し、撮像された画像の状態を見ながら、撮像に関する設定状態に係わる情報を入力することができるので、操作性が向上する。
【発明の効果】
【００２６】
本発明によれば、第１および第２可動部を相互に対向させた折り畳み状態であっても、外部側操作部から所定の情報を入力して、第１および第２可動部を折り畳んだ状態で外部に露出する外部側表示部に所定の表示内容を表示させることができる。
【００２７】
外部側操作部は、操作者が外部側表示部を目視しながら操作可能な領域に配置されるので、操作者は、外部側表示部を目視しながら外部側操作部によって所定の情報を容易に入力することができ、外部側表示部に表示される所定の表示内容を見ながら外部側操作部によって所定の情報を入力することができるので、操作性が向上し、外部側表示部に操作者の所望する所定の表示内容を短時間で表示させることができる。
【００２８】
操作者は、第１可動部および第２可動部が折り畳み状態であっても、外部側表示部を目視しながら外部側操作部によって所定の情報を入力することができ、外部側表示部に操作者の望む所定の表示内容を容易に表示させることができ、利便性が向上する。また撮像部は、操作者が操作者自身を撮像する場合であっても、外部側表示部によって撮像可能な範囲を確認しながら撮像することができ、撮像の自由度が向上する。
【００２９】
内部側操作部を内部側表示部に対応させ、外部側操作部を外部側表示部に対応させることによって、内部側表示部または外部側表示部を目視し、撮像部で撮像された画像の状態を見ながら、内部側操作部または外部側操作部から所定の情報を入力することができる。
【００３０】
また外部側表示部には、機能メニュー画面が表示され、撮像に関する機能の設定を行う項目が表示される。外部側操作部によって前記各項目を選択することができる。
【００３１】
前記制御部は、前記状態検出部が折り畳み状態であることを検出すると、前記内部側操作部による情報の入力を無効とするので、前記内部側操作部が他の物体に接触して、誤動作することを防止することができる。
前記制御部は、前記状態検出部が前記展開状態であることを検出すると、前記外部側操作部による情報の入力を無効とし、前記内部側操作部による情報の入力を有効とするので、前記外部側操作部が他の物体に接触して、誤動作することを防止することができる。
前記内部側操作部および前記外部側操作部のうち少なくともいずれか一方が有する操作切替部によって、前記内部側操作部および前記外部側操作部のうちのいずれか一方を能動化し、かつ他方を不能動化することができるので、所定の情報を入力する操作部を容易に選択することができ、前記内部側操作部および前記外部側操作部のうちいずれか一方のみを能動化することによって、前記内部側操作部および前記外部側操作部のうち他方が他の物体に接触して、誤動作することを防止できる。
詳細な設定を行わない場合には、前記折り畳み状態で設定を行うことができ、撮影に関する機能を設定するために前記折り畳み状態から展開状態とする必要がないので、操作手順の簡略化を図ることができるうえ、設定時間を短縮することが可能となる。前記内部側表示部よりも表示面の小さな前記外部側表示部を用いて設定を行うので、携帯型情報処理装置の消費電力を可及的に小さくすることができる。したがって、携帯型情報処理装置の各部に電力を供給するたとえば充電池などの電源で、より長い時間携帯型処理装置を駆動することができる。
【発明を実施するための最良の形態】
【００３２】
図１は、本発明の実施の一形態の携帯型情報処理装置１１を一方側から見た斜視図であり、図２は携帯型情報処理装置１１を他方側から見た斜視図である。なお、図１では展開状態の携帯型情報処理装置１１を示し、図２では折り畳み状態の携帯型情報処理装置１１を示す。本実施の形態の携帯型情報処理装置１１は、通信端末装置であって、具体的には携帯電話装置とする。本発明において、撮像と撮影とは同義である。
【００３３】
携帯型情報処理装置１１は、相互に対向させた折り畳み状態と、前記折り畳み状態で対応する領域が外部に露出する展開状態とにわたって、相互に角変位自在に連結される第１および第２可動部１２，１３と、所定の情報を入力する内部側操作部１４と、前記内部側操作部１４によって入力された所定の情報に応答して所定の表示内容を表示する内部側表示部１５と、所定の表示内容を表示する外部側表示部１６と、前記外部側表示部に表示される所定の表示内容に関する所定の情報を入力する外部側操作部１７と、撮像部１８と、アンテナ１９とを含む。
【００３４】
第１および第２可動部１２，１３は、大略的に中空箱状に形成され、第１可動部１２の基端部２１および第２可動部１３の基端部２２とは、ヒンジ部２３によって相互に角変位可能に連結される。第１および第２可動部１２，１３は、相互に対向する折り畳み状態から、ヒンジ部２３と第１可動部１２の遊端部２４とを含む仮想一平面と、ヒンジ部２３と第２可動部１３の遊端部２５とを含む仮想一平面とのなす角度がほぼ１８０°となる位置までヒンジ部２３を中心として相互に角変位自在である。
【００３５】
内部側操作部１４は、第１の操作部であって、第１および第２可動部１２，１３を相互に対向させた折り畳み状態で、第２可動部１３の第１可動部１２に対向する領域に設けられる。内部側操作部１４は、数字データ、文字データ、および携帯型情報処理装置１１への指示などの所定の情報を入力するための複数の操作キーを有し、操作キーを操作することによって、後述する制御部３１に各操作キーに対応した指示信号を与える。
【００３６】
また内部側操作部１４の複数の操作キーのうちのいずれかに、内部側操作部１４および外部側操作部１７のうちいずれ一方を能動化し、いずれか他方を不能動化するための操作切替キー２６が割り当てられる。
【００３７】
内部側表示部１５は、第１および第２可動部１２，１３を相互に対向させた折り畳み状態で、第１可動部１２の第２可動部１３に対向する領域に設けられる。内部側表示部１５は、カラー表示可能な半透過半反射型液晶表示素子によって実現される。
【００３８】
内部側表示部１５および内部側操作部１４を第１および第２可動部１２，１３の相互に対向する領域にそれぞれ設けることによって、第１および第２可動部１２，１３を展開状態としたとき、操作者は内部側表示部１５を見ながら内部側操作部１４によって所定の情報を入力することができる。本実施の形態で展開状態とは、第１および第２可動部１２，１３が相互に対向させた折り畳み状態で相互に対向する領域が外部に露出する状態であって、操作者が内部側表示部１５を目視することができ、かつ内部側操作部１４を操作することができる状態である。
【００３９】
外部側表示部１６は、第１および第２可動部１２，１３を相互に対向させた折り畳み状態で、第１および第２可動部１２，１３のうち少なくともいずれか一方の外部に露出する領域に設けられる。本実施の形態では、外部側表示部１６は、第１可動部１２の外部に露出する領域で、第１可動部１２を内部側表示部１５側から見た場合に背後となる領域に設けられる。したがって、内部側表示部１５の表示面と外部側表示部１６の表示面とは互いに離反する方向に臨む。外部側表示部１６は、カラー表示可能な半透過半反射型液晶表示素子によって実現される。
【００４０】
前述した内部側表示部１５および外部側表示部１６は、カラー表示可能な半透過半反射型液晶表示素子によって実現されるが、本発明の実施の他の形態では、カラー表示または白黒表示可能な透過型液晶表示素子、反射型液晶表示素子、エレクトロルミネッセンス（
Electro Luminescent；略称ＥＬ）素子、および白黒表示可能な半透過半反射型液晶表示素子のうちいずれか１つによって実現されてもよい。本実施の形態では、外部側表示部１６の表示面は、内部側表示部１５の表示面よりも小さく形成される。
【００４１】
外部側操作部１７は、第２の操作部であって、第１および第２可動部１２，１３を相互に対向させた状態で、第１および第２可動部１２，１３の前記外部に露出する領域のうち、前記外部側表示部１６に関して背後となる領域を除く残余の領域に設けられる。つまり前述したように外部側表示部１６を設ける構成では、第１および第２可動部１２，１３を相互に対向させた折り畳み状態で、携帯型情報処理装置１１の外部側表示部１６が設けられる領域を正面とすると、背面部を除く第２可動部１３の側面部および遊端面部、第１可動部１２の正面部、側面部および遊端面部のいずれかに設けられる。本実施の形態では、第１および第２可動部１２，１３を相互に対向させた折り畳み状態で、携帯型情報処理装置１１の外部側表示部１６が設けられる領域を正面とすると、第１可動部１２の正面部で、外部側表示部１６とヒンジ部２３との間に外部側操作部１７が設けられる。外部側操作部１７は、携帯型情報処理装置１１への指示などの所定の情報を入力するための複数の操作キーを有し、各操作キーを操作することによって、後述する制御部３１に各操作キーに対応した指示信号を与える。
【００４２】
撮像部１８は、折り畳み状態で外部に露出する領域に、外部に臨んで設けられる。具体的には、撮像部１８は、外部側表示部１６の表示面が臨む側と同一側に臨んで設けられる。このように撮像部１８を設けることによって、折り畳み状態であっても、撮像部１８によって所望の画像を撮像することができる。撮像部１８は、入射光を電気的な信号に変換し、画像データを生成する。撮像部１８は、第１可動部１２の遊端部２４に設けられ、前記外部側表示部１６よりも遊端部２４寄りに設けられる。撮像部１８は、撮像レンズと、電荷結合素子（Charge Coupled Device；略称ＣＣＤ）イメージセンサおよび相補型モス（Complementary Metal Oxide Semiconductor；略称ＣＭＯＳ）イメージセンサなどの撮像素子と、赤色（Ｒ），緑色（Ｇ），青色（Ｂ）の３色のカラーフィルタと、マイクロレンズアレイとを有する。撮像部１８は、被写体で反射されて撮像レンズに入射した光を、カラーフィルタを通してＲ，Ｇ，Ｂの３色光にし、Ｒ，Ｇ，Ｂの３色光をそれぞれ前記撮像素子によって電気信号に変換する。
【００４３】
アンテナ１９は、第１可動部１２に設けられる。アンテナ１９は、伸縮自在なロッドアンテナによって実現される。アンテナ１９が縮んでいる状態では、その大部分が第１可動部１２の内部に収容され、先端部が第１可動部１２の遊端部２４から外部に突出している。またアンテナ１９が伸びた状態では、その大部分が第１可動部１２から外部に突出する。
【００４４】
図３は、携帯型情報処理装置１１の電気的構成を示すブロック図である。携帯型情報処理装置１１は、前述した第１および第２可動部１２，１３、内部側操作部１４、内部側表示部１５、外部側表示部１６、外部側操作部１７、撮像部１８およびアンテナ１９の他に、制御部３１、画像処理部３２、第１メモリ３３、第２メモリ３４、第１表示ドライバ部３５、第２表示ドライバ部３６、第１バックライトユニット３７、第２バックライトユニット３８、状態検出スイッチ３９、無線部４０、通信制御部４１、音声入力部４２および音声出力部４３をさらに含む。
【００４５】
制御部３１は、中央演算処理装置（Central Processing Unit；略称ＣＰＵ）を含んで実現され、その内部に保存される制御プログラムに基づいて、携帯型情報処理装置１１を構成する各部の制御を行う。制御部３１は、内部側操作部１４および外部側操作部１７によって入力される所定の情報、および後述する状態検出スイッチ３９に応答して携帯型情報処理装置１１を構成する各部に制御信号を与えて、その動作を制御する。前記制御プログラムには、電子メールを送受信するためのプログラムが含まれ、制御部３１は、後述する通信制御部４１および無線部４０を介して、電子メールを所定の通知先に送信し、また電子メールを受信することができる。
【００４６】
画像処理部３２は、増幅部、アナログ／デジタル（Analog／Digital；略称Ａ／Ｄ）変換部および信号処理部を含む。増幅部は、撮像部１８から与えられるＲ，Ｇ，Ｂの３色光のそれぞれに対応した電気信号を増幅し、Ａ／Ｄ変換部に与える。Ａ／Ｄ変換部は、増幅部で増幅されたＲ，Ｇ，Ｂに対応したアナログの電気信号をデジタルの電気信号に変換し、画像データを生成して信号処理部に与える。
【００４７】
信号処理部は、Ａ／Ｄ変換部から与えられる画像データに対して、画素の補間処理などの信号処理を行う。また信号処理部は、制御部３１から与えられる制御信号に基づいて、信号処理を施した画像データを第１メモリ３３に与える。
【００４８】
第１メモリ３３は、記憶手段であり、画像処理部３２から連続的に与えられる画像データを一時的に記憶する。第１メモリ３３は、複数画面分の画像データを記憶している。第１メモリ３３に記憶される画像データのうち、時間的に古い画像データは消去する、あるいは時間的に古い画像データに最も時間的に新しい画像データを上書きされることによって、第１メモリ３３には一時的に画像データが記憶される。第１メモリ３３は、たとえばスタティックランダムアクセスメモリ（Static Random Access Memory；略称ＳＲＡＭ）などの揮発性メモリによって実現される。
【００４９】
第２メモリ３４は、記憶手段であり、内部側操作部１４および外部側操作部１７のいずれか一方によって入力された所定の情報、ここでは撮像部１８で撮像された画像を保存する指示が入力された場合に、この指示に応答した制御部３１によって与えられる制御信号に基づいて第１メモリ３３に記憶された画像データのうち所定の画像データを保存する。また第２メモリ３４には、内部側操作部１４によって入力された文字データ、および後述する通信制御部４１を介して受信した画像データおよび文字データなどの所定の情報が保存される。第２メモリ３４は、たとえばフラッシュメモリなどの不揮発性メモリによって実現される。
【００５０】
前述した内部側操作部１４が有する複数の操作キーのいずれかに、前記撮像部１８で撮像された画像を第２メモリ３４に保存するための所定の情報を入力するシャッタキーが割り当てられている。操作者は、前記シャッタキーを操作することによって、撮像部１８で撮像された画像を第２メモリ３４に保存することができる。
【００５１】
また、外部側操作部１７が有する複数の操作キーのいずれかに、前記撮像部１８で撮像された画像を第２メモリ３４に保存するための所定の情報を入力するシャッタキーが割り当てられている。操作者は、前記シャッタキーを操作することによって、撮像部１８で撮像された画像を第２メモリ３４に保存することができる。
【００５２】
制御部３１は、内部側操作部１４および外部側操作部１７のうちいずれか一方によって入力される撮像部１８で撮像するための所定の情報に応答し、撮像部１８で撮像するための所定の情報が内部側操作部１４によって入力された場合には、この内部側操作部１４に対応する内部側表示部１５に前記撮像部１８で撮像した画像を表示させ、撮像部１８で撮像するための所定の情報が外部側操作部１７によって入力された場合には、この外部側操作部１７に対応する外部側表示部１６に前記撮像部１８で撮像した画像を表示させる。したがって操作者は、内部側表示部１５または外部側表示部１６を目視し、撮像部１８で撮像された画像の状態を見ながら、内部側操作部１４または外部側操作部１７から所定の情報を入力することができるので、操作性が向上する。
【００５３】
内部側操作部１４によって撮像部１８で撮像するための所定の情報が入力された場合には、制御部３１は、第１メモリ３３に記憶された画像データを、少なくとも第１表示ドライバ部３５に与え、外部側操作部１７によって撮像部１８で撮像するための所定の情報が入力された場合には、制御部３１は、第１メモリ３３を少なくとも第２表示ドライバ部３６に与える。
【００５４】
第１および第２ドライバ部３５，３６は、第１メモリ３３に一時的に記憶され、または第２メモリ３４に保存され、第１および第２表示部３２，３３に表示する画像データおよび文字データの少なくともいずれか一方のデータに基づいて、第１および第２表示部３２，３３の各画素電極に対して駆動電圧を印加する。これによって、第１および第２表示部３２，３３のうち少なくともいずれか一方、つまり第１表示部３２か、第２表示部３３か、第１および第２表示部３２，３３かに所定の表示内容が表示される。
【００５５】
第１表示ドライバ部３５は、内部側表示部１５の駆動回路であって、第１メモリ３３から与えられる画像データ、または第２メモリ３４から与えられる画像データおよび文字データのうち少なくともいずれか一方に基づいて、内部側表示部１５の各画素電極に対して駆動電圧を印加する。第２表示ドライバ部３６は、外部側表示部１６の駆動回路であって、第１メモリ３３から与えられる画像データ、または第２メモリ３４から与えられる画像データおよび文字データのうち少なくともいずれか一方に基づいて、外部側表示部１６の各画素電極に対して駆動電圧を印加する。
【００５６】
前述した内部側表示部１５は、第１表示ドライバ部３５によって駆動され、撮像部１８で撮像された画像を少なくとも表示することができ、外部側表示部１６は、第２表示ドライバ部３６によって駆動され、撮像部１８で撮像された画像データを少なくとも表示することができる。
【００５７】
第１バックライトユニット３７は、表示面側から臨んで内部側表示部１５の背後に設けられ、内部側表示部１５に光を照射する。第２バックライトユニット３８は、表示面側から臨んで外部側表示部１６の背後に設けられ、外部側表示部１６に光を照射する。第１および第２バックライトユニット３７，３８は、いわゆるサイドライトタイプのバックライトユニットであり、発光ダイオードなどの発光素子と光学フィルタなどで構成した導光板とを含んで構成され、前記発光素子を導光板の厚み方向に垂直な方向の側部に配置して、その発光素子が発する光を導光板に形成したパターンによって表示面に導き、バックライトとして照射する。第１および第２バックライトユニット３７，３８には制御部３１から制御信号が与えられ、発光素子の点灯／消灯、および輝度調整などが行なわれる。第１および第２バックライトユニット３７，３８を設けることによって、携帯型情報処理装置１１の周囲が暗い場合でも、内部側表示部１５および外部側表示部１６の少なくともいずれか一方に表示される所定の表示内容を見やすくすることができ、視認性が向上する。
【００５８】
前述した第１および第２バックライトユニット３７，３８は、各々独立して制御部３１によって制御される。内部側表示部１５に所定の表示内容が表示されている場合は、制御部３１は、第１バックライトユニット３７の発光素子を点灯させ、外部側表示部１６に所定の表示内容が表示されている場合は、制御部３１は、第２バックライトユニット３８の発光素子を点灯させる。なお、第１および第２バックライトユニット３７，３８の各発光素子は、操作者によってこれらの発光素子を消灯するための所定の情報が内部側操作部１４または外部側操作部１７によって入力されるまで点灯する構成とする。本発明の実施のさらに他の形態では、第１および第２バックライトユニット３７，３８の発光素子は、点灯してから予め定める時間が経過すると制御部３１によって消灯される構成としてもよい。
【００５９】
状態検出スイッチ３９は、第１および第２可動部１２，１３の折り畳み状態および展開状態を検出する状態検出部の一部を構成する。状態検出部は、第１可動部１２に設けられる突起部１４５、第２可動部１３に形成される孔部４６、状態検出スイッチ３９、および制御部３１を含み構成される。
【００６０】
図４（ａ）および（ｂ）は、状態検出スイッチ３９を示す断面図である。図４（ａ）は、第１および第２可動部１２，１３が展開状態のときの状態検出スイッチ３９の断面図を示し、図４（ｂ）は第１および第２可動部１２，１３が折り畳み状態のときの状態検出スイッチ３９の断面図を示す。
【００６１】
突起部１４５は、第１可動部１２のヒンジ部２３の近傍で、内部側表示部１５とヒンジ部２３との間に設けられ、第１および第２可動部１２，１３を相互に対向させた折り畳み状態で第２可動部１３に向かって突出する。
【００６２】
孔部４６は、第２可動部１３のヒンジ部２３の近傍で、第１および第２可動部１２，１３を相互に対向させて折り畳んだ状態で、前記突起部１４５に臨む領域に設けられ、中空箱状の第１可動部１２の内部と外部とを挿通して形成される。
【００６３】
状態検出スイッチ３９は、第１可動部１２の内部に設けられる電気絶縁性材料から成る基板４７上に設けられる。状態検出スイッチ３９は、導電性材料から成る個別接点部４４であるパターン接点部、カーボンなどの導電性材料から成る共通接点部４８、および共通接点部４８を支持する支持部４９を有する。支持部４９は、ゴムなどの弾性体から成り、前記孔部４６と個別接点部４５との間で、共通接点部４８と個別接点部４５とを予め定める距離だけ離間させて個別接点部４５を支持する。
【００６４】
個別接点部４４の一方の個別接点４４Ａおよび他方の個別接点４４Ｂは、基板４７上に形成される導線によってそれぞれ個別に制御部３１に電気的に接続される。
【００６５】
携帯型情報処理装置１１を第１および第２可動部１２，１３を相互に対向した折り畳み状態とすると、第１可動部１２の突起部１４５が第２可動部１３の孔部４６に挿入され、その先端部５１が状態検出スイッチ３９の支持部４９に支持される共通接点部４８を個別接点部４４に押し付け、個別接点部４４の一方の個別接点４４Ａおよび他方の個別接点４４Ｂを、共通接点部４８を介して電気的に導通させる。これによって、個別接点間に電流を流すことができる。
【００６６】
制御部３１は、個別接点間に流れる電流を検出することによって、もし電流が流れれば第１および第２可動部１２，１３が折り畳み状態であると判断する。
【００６７】
第１および第２可動部１２，１３が展開状態である場合には、第１可動部１２の突起部１４５が共通接点部４８から離反し、共通接点部４８は支持部４９の弾性力によって個別接点部４４から離反する。このとき、個別接点間に電流を流すことができないので、制御部３１は、第１および第２可動部１２，１３が展開状態ではないと判断する、つまり第１および第２可動部１２，１３が折り畳み状態であると判断される。このように携帯型情報処理装置１１では、制御部３１が、状態検出スイッチ３９のスイッチング状態に基づいて、第１および第２可動部１２，１３の展開状態および折り畳み状態、つまり第１および第２可動部１２，１３が展開状態であるのか、折り畳み状態であるのかを簡単な構成で容易に検出することができる。
【００６８】
図５は、状態検出スイッチ３９の個別接点部４４を示す平面図である。個別接点部４４は、櫛歯状に形成される一方の個別接点４４Ａと、他方の個別接点４４Ｂとが基板４７の面方向に相互に間隔をあけて噛合した状態で形成される。一方および他方の櫛歯状の個別接点４４Ａ，４４Ｂが有する複数の舌状部５２に、共通接点部４８が接続されるので、一部の舌状部５２が共通接点部４８と接触しない場合であっても、その他の舌状部５２は、共通接点部４８との接触状態が保持され、一方および他方の個別接点４４Ａ，４４Ｂを確実に電気的に接続することができ、突起部１４５の共通接点部４８への押し方が不完全な押圧状態における個別接点部４４と共通接点部４８との接触不良が防がれる。したがって制御部３１は、第１および第２可動部１２，１３の折り畳み状態および展開状態を簡単な構成で確実に検出することができる。
【００６９】
本発明の実施のさらに他の形態では、状態検出スイッチ３９については前述の構造に限らず、たとえばメンブレンスイッチなどによって構成されてもよく、また状態検出スイッチ３９を含む状態検出部の構成についても前述の構造に限らず、第１および第２可動部１２，１３の折り畳み状態および展開状態を検出できる構成であればよい。
【００７０】
前述したアンテナ１９は、無線電波を介して基地局と無線通信を行うときに、音声データ、文字データおよび画像データなどを送受信する。
【００７１】
無線部４０は、基地局からアンテナ１９を介して受信した文字データ、画像データおよび音声データを復調し、また後述する通信制御部４１から送られてくる文字データ、画像データおよび音声データなどを変調して増幅し、アンテナ１９を介して基地局に送信する。
【００７２】
通信制御部４１は、無線部４０が復調した文字データおよび画像データなどの受信データを所定の通信プロトコルに基づいて制御部３１に送り、無線部４０が復調した音声データを音声出力部４３に送る。無線部４０、通信制御部４１を介して受信した相手先からの文字データおよび画像データなどの受信データは、第２メモリ３４に保存される。また通信制御部４１は、第２メモリ３４に保存される文字データ、画像データなどの送信データ、および後述する音声入力部４２から入力される音声データを無線部４０に送る。
【００７３】
音声入力部４２は、たとえばマイクロフォンによって実現され、音声データを入力する。音声入力部４２は、第２可動部１３の内部空間で、遊端部２５の中央部に設けられる。第１および第２可動部１２，１３を相互に対向させた折り畳み状態で、第２可動部１３の第１可動部１２に対向する領域の遊端部２５には、前記音声入力部４２が設けられる第２可動部１３の内部空間と外部空間とを挿通する挿通孔５４が形成される。
【００７４】
音声出力部４３は、たとえばスピーカによって実現され、通信制御部４１から与えられる音声データに基づいて発音する。音声出力部４３は、第１可動部１２の内部空間で、遊端部２４の中央部に設けられる。第１および第２可動部１２，１３を相互に対向させた折り畳み状態で、第１可動部１２の第２可動部１３に対向する領域の遊端部２４には、前記音声出力部４３が設けられる第１可動部１２の内部空間と外部空間とを挿通する挿通孔５３が形成される。
【００７５】
図６は、撮像部１８で撮像した画像を外部側表示部１６に表示させたときの表示内容を示す図である。撮像部１８で撮像された画像を外部側表示部１６に表示させ、外部側表示部１６をカメラファインダとして使用する場合には、外部側表示部１６には、撮像部１８で撮像された画像が表示されるとともに、表示画面の端部に、撮像に関する設定状態を表す内容５５が表示される。本実施の形態では、第１可動部１２の遊端部２４を上とし、ヒンジ部２３を下として説明する。
【００７６】
前記撮像に関する設定状態を表す内容５５は、たとえば撮像モードの設定状態、露出補正の設定状態、およびズーム／ワイドの設定状態などを表し、外部側表示部１６の上端部にこの順番で並んで表示される。撮影モードの設定状態は、たとえば標準の設定状態であれば、文字のＮ（Normal）が表示される。露出補正の設定状態は、たとえばデフォルトを０として、デフォルトよりも明るく設定されている場合には、数値である＋Ｎ（Ｎは、正の整数）が表示され、暗く設定されている場合には数値である−Ｎ（Ｎは、正の整数）が表示される。露出補正は、予め定める段階で調整可能であり、１段階明るくする毎に露出補正の設定状態を表す数値が１ずつ大きくなるように表示され、１段階暗くする毎に露出補正の設定状態を表す数値が１ずつ小さくなるように表示される。ズーム／ワイドの設定状態は、ズーム状態であれば数値である×Ｎ（Ｎはズームの倍率）が表示され、広角で撮像するワイド状態であれば文字のＷが表示される。使用者は、前述した撮像に関する設定状態を表す内容５５を見ることによって、現状の設定状態を確認して明確に把握することができる。
【００７７】
外部側操作部１７の操作キーは、外部側操作部１７側から見て、上方に位置する上キー６１と、下方に位置する下キー６２と、左方に位置する左キー６３、右方に位置する右キー６４と、上キー６１、下キー６２、左キー６３および右キー６４の中央に位置する中央キー６５とが十字状に配置されて形成される。各操作キーは、それぞれの操作キーを押下することによって、それぞれの操作キーに対応した所定の情報を入力することができる。本実施の形態では、外部側操作部１７の各操作キーは、押下することで所定の情報の入力が行なわれる押下式のキーとする。
【００７８】
たとえば上キー６１または下キー６２を押下することによって、露出補正の設定状態を変更することができ、左キー６３または右キー６４を押下することによって、ズーム／ワイドの設定状態を変更することができ、たとえば中央キー６５を予め定める時間押下することによって、後述する機能メニュー画面６８を外部側表示部１６に表示させることができ、たとえば予め定める時間よりも短い時間中央キー６５を押下することによって、前記撮像部１８で撮像された画像を第２メモリ３４に保存することができるように、つまりシャッタキーとして機能するように各操作キーに対応して所定の情報が入力されるように、各操作キーが割り当てられる。
【００７９】
携帯型情報処理装置１１では、前述した外部側操作部１７を有するので、第１および第２可動部１２，１３を相互に対向させた折り畳み状態であっても、外部側表示部１６に表示される所定の表示内容、ここでは撮像部１８によって撮像された画像に関する情報、たとえば前述した撮像に関する設定状態に係わる情報を撮像部１８で撮像された画像を確認しながら容易に入力することができる。
【００８０】
図７は、外部側表示部１６に表示される機能メニュー画面６８を示す図である。機能メニュー画面６８は、前述した中央キー６５を定める時間押下することによって外部側表示部１６に表示される。機能メニュー画面６８には、項目１．サイズ選択、項目２．画質選択、項目３．セルフタイマー、項目４．カメラ画像一覧、項目５．画像編集などの撮像に関する機能の設定を行う項目が表示される。操作者は、外部側操作部１７によって各項目を選択することができる。
【００８１】
項目１のサイズ選択を選択すると、たとえば、撮像部１８によって撮像する画像のサイズを複数種類から選択することができる。項目２の画質選択を選択すると、たとえば、撮像部１８で撮像される画像の階調数の変更を行うことができ、画像データの大きさを変更することができる。項目３のセルフタイマーを選択すると、たとえば予め定める時間が経過すると、自動で撮像部１８で撮像された画像データを第２メモリ３４に保存することができ、操作者がシャッタキーである中央キー６５を操作しなくても画像を第２メモリ３４に保存させることができる。項目４のカメラ画像一覧を選択すると、第２メモリ３４に保存された画像データを一覧で表示させることができる。項目５の画像編集を選択すると、第２メモリ３４に保存された画像データの消去操作を行うことができる。
【００８２】
前述した機能メニュー画面６８に表示される各機能の設定は、前述した外部側操作部１７によって行うことができる。機能メニュー画面６８が外部側表示部１６に表示された場合には、上キー６１および下キー６２を押下することによって、機能メニュー画面６８上に表示されるカーソル６９を移動させて項目を選択することができ、中央キー６５を押下することによってカーソル６９で選択された項目の決定または取り消しを行うことができるように、各操作キーに対応して所定の情報が入力されるように設定される。
【００８３】
内部側表示部１５で撮像部１８で撮像された画像を表示させる場合であっても、図６に示すような外部側表示部１６で画像が表示される場合と同様に、撮像に関する機能の設定状態が表示される。内部側操作部１４には、外部側操作部１７と同様に、撮像に関する設定状態に係わる情報を入力する操作キーが設けられる。
【００８４】
前述した制御部３１は、撮像部１８によって撮像しているときに、第１メモリ３３に一時的に記憶されている画像データに基づく画像を表示する表示部を、状態検出スイッチ３９のスイッチング状態に基づいて切替える。つまり制御部３１は、第１および第２可動部１２，１３が展開状態であることを検出した場合、第１メモリ３３に記憶される画像データを第１表示ドライバ部３５に与えるように第１メモリ３３に制御信号を与え、内部側表示部１５に前記画像データに基づく画像を表示させる。
【００８５】
前述のように撮像部１８は、第１および第２可動部１２，１３が相互に対向する折り畳み状態では、外部に露出する領域に設けられている。操作者は、撮像部１８によって操作者以外の被写体を撮像する場合には、携帯型情報処理装置１１を展開状態として、撮像部１８を操作者から離反する方向に臨ませて撮像することによって、携帯型情報処理装置１１が展開状態であることが制御部３１によって検出され、撮像部１８で撮像された画像は、内部側表示部１５に表示されるので、内部側表示部１５をカメラファインダとして使用することができる。
【００８６】
一方、操作者自身を被写体として撮像部１８によって撮像する場合は、操作者は、携帯型情報処理装置１１の第１および第２可動部１２，１３を相互に対向させた折り畳み状態で、撮像部１８を操作者に臨ませて撮像することによって、携帯型情報処理装置１１が折り畳み状態であることが制御部３１によって検出され、撮像部１８で撮像された画像が外部側表示部１６に表示されるので、外部側表示部１６をカメラファインダとして使用することができる。
【００８７】
内部側表示部１５から外部側表示部１６へのカメラファインダ表示の切替えは、内部側表示部１５をカメラファインダとして使用している展開状態から、第１および第２可動部１２，１３を相互に対向させた折り畳み状態とすることによって制御部３１によって行なわれる、または内部側操作部１４において特定に割り当てられた操作キーを操作者が操作することによって行なわれる。
【００８８】
また、外部側表示部１６から内部側表示部１５へのカメラファインダ表示の切替えは、第１および第２可動部１２，１３を相互に対向させた折り畳み状態から、展開状態とすることによって制御部３１によって行なわれる、または展開状態で外部側表示部１６をカメラファインダとして使用している場合に、内部側操作部１４において特定に割り当てられた操作キーを操作者が操作することによって行なわれる。
【００８９】
このように携帯型情報処理装置１１では、撮像部１８で撮像された画像を内部側表示部１５および外部側表示部１６のうちいずれの表示部に表示させるのかを、容易に操作者が選択することができるので、たとえば撮像部１８を操作者自身に臨ませて撮像する状態から、操作者自身から離反する方向に臨ませて撮像する状態に変更する場合、あるいその逆に変更する場合であっても操作者が目視可能な表示部に撮像部１８で撮像した画像を迅速に表示させることができる。
【００９０】
また前述した制御部３１は、状態検出スイッチ３９のスイッチング状態を検出し、この検出結果に基づいて、内部側操作部１４および外部側操作部１７のうちいずれか一方を能動化し、かついずれか他方を不能動化して、所定の情報を入力する操作部を切替える。
【００９１】
制御部３１は、携帯型情報処理装置１１が折り畳み状態であることを検出した場合、内部側操作部１４を不能動化して、内部側操作部１４の各操作キーによる入力を無効とし、外部側操作部１７を能動化して、外部側操作部１７の各操作キーによる入力を有効とする。また制御部３１は、携帯型情報処理装置１１が展開状態であることを検出した場合、内部側操作部１４を能動化して、内部側操作部１４の各操作キーによる入力を有効とし、外部側操作部１７を不能動化して、外部側操作部１７の各操作キーによる入力を無効とする。
【００９２】
内部側操作部１４および外部側操作部１７の各操作キーによる入力を無効とするには、たとえば、内部側操作部１４および外部側操作部１７を操作者が操作できないように機械的に固定する、内部側操作部１４および外部側操作部１７を機械的に固定しないで、内部側操作部１４および外部側操作部１７から制御部３１への指示信号を出力しないようにする、または制御部３１が内部側操作部１４および外部側操作部１７から与えられる指示信号を処理しないようにするなどの方法で実現できる。
【００９３】
前述のように、内部側表示部１５に撮像部１８で撮像された画像を表示させ、内部側表示部１５をカメラファインダとして使用する場合では、第１および第２可動部１２，１３が展開状態であることが制御部３１によって検出され、内部側操作部１４が能動化されるので、撮像に関する設定状態を変更するために割り当てられた操作キーからの入力が有効となる。したがって操作者は、内部側表示部１５に表示される撮像部１８で撮像された画像を見ながら、内部側表示部１５と同じ側に配置されている内部側操作部１４によって所定の情報を入力することができる。またこのとき、制御部３１は、外部側操作部１７を不能動化するので、外部側操作部１７が不所望に物体に接触して誤動作することを防止できる。
【００９４】
また前述のように、外部側表示部１６に撮像部１８で撮像された画像を表示させ、外部側表示部１６をカメラファインダとして使用する場合では、第１および第２可動部１２，１３が折り畳み状態であることが制御部３１によって検出され、外部側操作部１７が能動化され、撮像に関する設定状態を変更するために割り当てられた操作キーからの入力が有効となる。したがって操作者は、外部側表示部１６に表示される撮像部１８で撮像された画像を見ながら、外部側表示部１６と同じ側に配置されている外部側操作部１７によって所定の情報を入力することができる。
【００９５】
内部側操作部１４には、内部側操作部１４および外部側操作部１７のうちいずれか一方を能動化し、かつ他方を不能動化する操作切替キーが設けられる。前記操作切替キーは、内部側操作部１４の複数のキースイッチのうちの１つを特定に割り当てることによって実現される。操作切替キーを設けることによって、内部側操作部１４および外部側操作部１７のうちいずれの操作部からの入力を有効とするかを変更することができ、第１および第２可動部１２，１３が展開状態であっても、外部側操作部１７から所定の情報を入力することができるようになるので、操作性がさらに向上される。
【００９６】
本発明の実施のさらに他の形態では、前記操作切替キーを外部側操作部１７に設ける構成としてもよく、また内部側操作部１４および外部側操作部１７のいずれにも設ける構成としてもよい。
【００９７】
前述した突起部１４５、孔部４６および状態検出用スイッチ３９は、ヒンジ部２３の近傍に設けられるので、第１および第２可動部１２，１３が折り畳み状態からわずかにヒンジ部２３を中心として角変位した状態であっても、状態検出用スイッチ３９のスイッチング状態が変化するので、第１および第２可動部１２，１３を折り畳み状態からヒンジ部を中心として９０°以上１８０°以下に展開した使用状態においては、内部側操作部１４を能動化し、外部側操作部１７を不能動化する操作部の設定が完了している。したがって、第１および第２可動部１２，１３を折り畳み状態から展開状態とする場合には、操作部の切替えの反応性がよく、第１および第２可動部１２，１３を展開状態から折り畳み状態とする場合には、早期に操作部が切り替わることがないので、誤操作を防止することができる。
【００９８】
図８は、撮像部１８によって撮像するときの制御部３１の処理動作を示すフローチャートである。ステップＳ１からステップＳ２に移り、状態検出スイッチ３９のスイッチング状態に基づいて第１および第２可動部１２，１３が展開状態であるか否かを判断する。ステップＳ２では、第１および第２可動部１２，１３が展開状態であると判断されると、ステップＳ３に移り、第１および第２可動部１２，１３が展開状態でないと判断されると、ステップＳ１１に移る。
【００９９】
ステップＳ３では、内部側操作部１４を能動化し、かつ外部側操作部１７を不能動化する。これによって、内部側操作部１４からの入力操作だけが有効となる。
【０１００】
ステップＳ４では、カメラ撮影モードを起動、つまり画像処理部３２に制御信号を与えて、第１メモリ３３に画像データを記憶させて、ステップＳ５に移る。
【０１０１】
ステップＳ５では、第１メモリ３３に制御信号を与え、第１メモリ３３に記憶された画像データを第１表示ドライバ部３８に与えて、内部側表示部１５に撮像部１８で撮像された画像を表示させて、ステップＳ６に進む。これによって、内部側表示部１５をカメラファインダとして使用することができる。
【０１０２】
ステップＳ６では、内部側操作部１４に設けられ、撮像部１８で生成された画像の画像データを第２メモリ３４に保存するための指示を入力するシャッタボタンが操作されたか否かを判断する。ステップＳ６で、シャッタボタンが操作されたと判断すると、ステップＳ７に移り、シャッタボタンが操作されていないと判断すると、ステップＳ１０に移る。
【０１０３】
ステップＳ７では、第２メモリ３４に制御信号を与えて、撮像部１８で撮像された画像の画像データを第２メモリ３４に保存させて、ステップＳ８に移る。ステップＳ８では、撮影モードを終了する指示があったか否か、つまり撮像部１８による撮像を停止する指示が内部側操作部１４によって入力されたか否かが判断される。ステップＳ８で、撮影モードを終了させる指示があったと判断した場合、ステップＳ９に移り、処理動作を終了する。一方ステップＳ８で、撮影モードを終了する指示がないと判断した場合、ステップＳ４に移る。撮影モードを終了する指示は、操作者が、たとえば内部側操作部１４の操作キーのいずれかに割り当てられる撮影終了キーを操作することによって行なわれる。
【０１０４】
ステップＳ１０では、撮像部１８で撮像された画像を外部側表示部１６に表示させる表示部の切替えが行なわれたか否かを判断する。ここで、内部側表示部１５から外部側表示部１６への表示部の切替えの判断は、前述した状態検出スイッチ３９のスイッチング状態が変化したか否か、または内部側表示部１５に設けられる表示切替キーが操作されたか否かによって行う。ステップＳ１０で表示部の切替えが行なわれたと判断すると、ステップＳ１１に移り、表示部の切替えが行なわれてはいないと判断するとステップＳ５に移る。
【０１０５】
ステップＳ１１では、外部側操作部１７を能動化し、かつ内部側操作部１４を不能動化する。これによって、外部側操作部１７からの入力操作だけが有効となる。
【０１０６】
ステップＳ１２では、カメラ撮影モードを起動、つまり画像処理部３２に制御信号を与えて、第１メモリ３３に画像データを記憶させて、撮像部１８に撮像を行わせて、ステップＳ１３移る。ステップＳ１３では、第１メモリ３３に制御信号を与え、第１メモリ３３に記憶された画像データを第２表示ドライバ部３６に与えて、外部側表示部１６に撮像部１８で撮像された画像データに基づく画像を表示させて、ステップＳ１４に移る。これによって、外部側表示部１６をカメラファインダとして使用することができる。
【０１０７】
ステップＳ１４では、第２メモリ３４に制御信号を与えて、外部側操作部１７に設けられ、撮像部１８で撮像された画像の画像データを第２メモリ３４に保存するための指示を入力するシャッタボタンが操作されたか否かを判断する。ステップＳ１４で、シャッタボタンが操作されたと判断すると、ステップＳ１５に移り、シャッタボタンが操作されていないと判断すると、ステップＳ１７に移る。
【０１０８】
ステップＳ１５では、撮像部１８で撮像された画像データを第２メモリ３４に保存させて、ステップＳ１６に移る。ステップＳ１６では、撮影モードを終了する指示があったか否か、つまり撮像部１８による撮像を停止する指示が外部側操作部１７によって入力されたか否かが判断される。ステップＳ１６で、撮影モードを終了させる指示があったと判断した場合、ステップＳ９に移り、処理動作を終了する。一方ステップＳ１６で、撮影モードを終了する指示がないと判断した場合、ステップＳ１２に移る。撮像部１８による撮像の停止の指示は、たとえば操作者が、外部側操作部１７の中央キー６５を連続して押下することによって行なわれる。
【０１０９】
ステップＳ１７では、撮像部１８で撮像された画像を内部側表示部１５に表示させる表示部の切替えが行なわれたか否かを判断する。ここで、外部側表示部１６から内部側表示部１５への表示部の切替えの判断は、前述した状態検出スイッチ３９のスイッチング状態が変化したか否か、または内部側表示部１５に設けられる表示切替キーが操作されたか否かによって行う。ステップＳ１７で表示部の切替えが行なわれたと判断すると、ステップＳ３に移り、表示部の切替えが行なわれてはいないと判断するとステップＳ１３に移る。
【０１１０】
内部側操作部１４は、第１および第２可動部１２，１３が折り畳み状態では、第１可動部１２によって覆われているので、操作者によって操作することはできない。したがって、本発明の実施のさらに他の形態では、前述したステップＳ３では、内部側操作部１４は能動化したままであってもよい。
【０１１１】
本発明の実施のさらに他の形態では、第１および第２可動部１２，１３が展開状態である場合に、外部側操作部１７を不能動化せず、能動化してもよい。この場合、内部側操作部１４および外部側操作部１７のいずれの操作部であっても所定の情報の入力を行うことができる。
【０１１２】
図９は、本発明の実施のさらに他の形態の携帯型情報処理装置７１の斜視図である。携帯型情報処理装置７１は、相互に対向させた折り畳み状態と、前記折り畳み状態で対応する領域が外部に露出する展開状態とにわたって、相互に角変位自在に連結される第１および第２可動部１２，１３と、所定の情報を入力する内部側操作部と、前記内部側操作部によって入力された所定の情報に応答して所定の表示内容を表示する内部側表示部と、所定の表示内容を表示する外部側表示部１６と、前記外部側表示部に表示される所定表示内容に関する所定情報を入力する外部側操作部７２と、撮像部１８と、アンテナ１９とを含む。本実施の形態の携帯型情報処理装置７１は、前述した実施の形態の携帯情報処理装置１１の外部側操作部１７を外部側操作部７２に代えた構成であり、他の構成は同様であるので、図９に示す携帯型情報処理装置７１で、前述した実施の携帯型情報通信処理装置１１と同様な構成には同一の符号を付してその説明を省略する。本実施の形態では、第１可動部１２の遊端部２４を上とし、ヒンジ部２３を下として説明する。
【０１１３】
外部側操作部７２は、第１可動部１２の側部に設けられる。外部側操作部７２は、前述した実施の形態の携帯型情報処理装置１１の外部側操作部１７と同様な構成であり、複数の操作キーによって構成され、上キー６１、下キー６２および中央キー６５を有する。たとえば上キー６１または下キー６２を押下することによって、露出補正の設定状態およびズーム／ワイドの設定状態を変更することができる。
【０１１４】
外部側操作部７２は、外部側表示部１６側から見て右側部に配置される。操作者は、右手で携帯型情報処理装置７１を把持して、撮像部１８を操作者自身に向けたときに、装置全体を把持しながら、親指で外部側操作部１７を操作することができるので、操作性が向上し、かつ携帯型情報処理装置７１が不所望に落下することを防止できる。
【０１１５】
図１０は、本発明の実施のさらに他の形態の携帯型情報処理装置８１の斜視図である。携帯型情報処理装置８１は、相互に対向させた折り畳み状態と、前記折り畳み状態で対応する領域が外部に露出する展開状態とにわたって、相互に角変位自在に連結される第１および第２可動部１２，１３と、所定の情報を入力する内部側操作部と、前記内部側操作部によって入力された所定の情報に応答して所定の表示内容を表示する内部側表示部と、所定の表示内容を表示する外部側表示部１６と、前記外部側表示部に表示される所定表示内容に関する所定情報を入力する外部側操作部７２と、撮像部１８と、アンテナ１９とを含む。本実施の形態の携帯型情報処理装置８１は、前述した実施の形態の携帯情報処理装置１１の外部側操作部１７を外部側操作部８２に代えた構成であり、他の構成は同様であるので、図１０に示す携帯型情報処理装置８１で、前述した実施の携帯型情報通信処理装置１１と同様な構成には同一の符号を付してその説明を省略する。本実施の形態では、第１可動部１２の遊端部２４を上とし、ヒンジ部２３を下として説明する。
【０１１６】
外部側操作部８２は、第２可動部１３の側部に設けられる。外部側操作部８２は、前述した実施の形態の携帯型情報処理装置１１の外部側操作部１７と同様な構成であり、複数の操作キーによって構成され、上キー６１、下キー６２および中央キー６５を有する。たとえば上キー６１または下キー６２を押下することによって、露出補正の設定状態およびズーム／ワイドの設定状態を変更することができる。
【０１１７】
外部側操作部８２は、第１および第２可動部１２，１３を相互に対向させて折り畳んだ状態で、外部側表示部１６側から見て第２可動部１３の右側部に配置される。操作者は、右手で携帯型情報処理装置８１を把持して、撮像部１８を操作者自身に向けたときに、装置全体を把持しながら、親指で外部側操作部１７を操作することができるので、操作性が向上し、かつ携帯型情報処理装置８１が不所望に落下することを防止できる。
【０１１８】
前述した各実施の形態では、内部側表示部１５および外部側表示部１６は第１可動部に設けられるが、本発明の実施のさらに他の形態では、内部側表示部１５は、第１および第２可動部１２，１３が折り畳み状態で、第１および第２可動部１２，１３が対向する領域に設けられ、外部側表示部１６は、第１および第２可動部１２，１３が折り畳み状態で、外部に露出する領域にそれぞれ設ける構成であればよい。
【０１１９】
また前述した各実施の形態では、撮像部１８の位置及びアンテナ１９の位置について、撮像部１８は可動部１２の遊端部２４に設けた外部側表示部１６よりも遊端部２４寄りに設けた構成としているが、外部側表示部１６よりもヒンジ部２３寄りに撮像部１８を配置してもよいし、アンテナ１９は第１可動部１２に設けた構成としているが、第２可動部１３にアンテナ１９を設けた構成であっても一向に構わない。
【０１２０】
図１１は、本発明の実施のさらに他の形態の携帯型情報処理装置１００の外部側表示部１６と外部側操作部１７の背面キーとの関係を表す図である。図１２は、折り畳み状態の携帯型情報処理装置１００の撮像部１８を含む一表面部を表す図である。図１３は、展開状態の携帯型情報処理装置１００を、その厚み方向一方側から見た図である。図１４は、折り畳み状態の携帯型情報処理装置１００の一側面図である。図１５は、折り畳み状態の携帯型情報処理電話装置１００の他側面図である。本実施の形態の携帯型情報処理装置１００は、前述の実施の形態の携帯型情報処理装置１１と同様な構成を有し、その一部が異なるだけであるので、同様な部分には、同様な符号を付して、重複する説明を省略する。
【０１２１】
本実施の形態の携帯型情報処理装置１００は、小型カメラを搭載した折り畳み型の携帯電話装置に適用した場合の一例である。また第１可動部１２を第２可動部１３に対して相対的にかつ略平行にスライド変位させるスライド式、第１可動部１２をその厚み方向に平行な軸線方向まわりに第２可動部１３に対して回転変位させる回転式、これら折り畳み型，スライド式，回転式の構造を選択的に組み合わせた種々な携帯電話装置に適用可能である。
【０１２２】
第１可動部１２において内部側表示部１５の背面側（図１１参照）、および第１可動部１２の一側面部（図１４参照）には、外部側操作部１７が設けられている。換言すれば、外部側操作部１７は、第１および第２可動部１２，１３を折り畳んだ折り畳み状態で、第１可動部１２の外部に露出する領域に設けられる。この外部側操作部１７は、前記背面側に設けられるキー操作部１０９と、前記一側面部に設けられるシャッタキー１１０（図１４参照）とを備えている。
【０１２３】
キー操作部１０９は、適当間隔おきに配設される３つの背面キー１０９ａ，１０９ｂ，１０９ｃからなる。図１１に示す各背面キー１０９ａ，１０９ｂ，１０９ｃが操作片に相当する。しかも、これら背面キー１０９ａ，１０９ｂ，１０９ｃのうちの１つの背面キー１０９ａは、第１可動部１２の遊端部寄りで、外部側表示部１６における矩形状表示エリアの一辺１１２の中間付近に近接して配設される。前記背面キー１０９ａを中央キー１０９ａと定義する。別の背面キー１０９ｂは、前記矩形状表示エリアの四隅のうちの１つ、つまり前記一辺１１２とこの一辺１１２に隣接する一辺１１３との交点に近接して配設される。前記背面キー１０９ｂを左キー１０９ｂと定義する。残りの背面キー１０９ｃは、矩形状表示エリアの四隅のうちの１つ、つまり矩形状表示エリアの一辺１１２とこの一辺１１２に隣接する他の一辺１１４との交点に近接して配設される。前記背面キー１０９ｃを右キー１０９ｃと定義する。後述するが、これら中央キー１０９ａ、左キー１０９ｂ、右キー１０９ｃ、およびシャッタキー１１０を選択的に操作することによって、撮像画像のズームアップまたはズームダウン、画像データの仮保存および保存、待受け表示画面の登録、および電子メールの送信などが実行可能である。前記中央キー１０９ａは、左キー１０９ｂおよび右キー１０９ｃよりもわずかに第１可動部１２の遊端部２５寄りに設けられる。これによって中央キー１０９ａを操作する場合に、不所望に操作者の手指が左キー１０９ｂおよび右キー１０９ｃに接触することが防止される。前記背面キー１０９ａ、１０９ｂ、１０９ｃが、機能設定操作ボタンに相当する。
【０１２４】
第２可動部１３において内部側操作部１４の背後には、撮像部１８と、アンテナ１９とが設けられている。撮像部１８は、第１可動部１２および第２可動部１３を折り畳んだ折り畳み状態で外部に露出する領域、つまり折り畳み状態で第１可動部１２および第２可動部１３が対向する領域を除く残余の領域で、外部に臨んで設けられる。撮像部１８は、第２可動部１３のヒンジ部２３寄りに設けられ、折り畳み状態で外部側表示部１６の表示面とは反対側に臨む。つまり撮像部１８の撮像レンズ１８が前記内部側操作部１４と反対側に臨んで設けられる。
【０１２５】
シャッタキー１１０は、本実施の形態では、第２可動部１３の一側面部に設けられる。本発明の実施の他の形態において、シャッタキー１１０は、第１可動部１２の一側面部に設けられてもよい。シャッタキー１１０を携帯型情報処理装置１００の一側面部に設けることによって、たとえば携帯型情報処理装置１００を折り畳み状態で、操作者が一側面部を上方として他側面部を下方にして携帯型情報処理装置１００を保持して撮像することができ、操作性を向上させることができる。
【０１２６】
撮像部１８の近傍には、発光部２０１が設けられる。発光部２０１は、前記折り畳み状態で外部側表示部１６の表示面とは反対側に臨んで発光し、撮像部１８によって撮像される領域を照らすことができる。第２可動部１３の他側面部には、着脱メモリを装着する着脱メモリ取付孔２０２が形成される。
【０１２７】
内部側操作部１４の操作キー１４ａは、たとえば左キー１２９、右キー１３０、Ｆキー１３１、メールキー１３３、カメラキー１３４、電源キー１３５およびクリアキー１３６を少なくとも含む。左キー１２９、右キー１３０、Ｆキー１３１、メールキー１３３、カメラキー１３４、電源キー１３５およびクリアキー１３６は、第２可動部１３のヒンジ部２３寄りに設けられる。前記Ｆキー１３１の左側に左キー１２９が設けられ、Ｆキーの右側に右キー１３０が設けられる。
【０１２８】
図１６は、携帯型情報端末装置１００の電気的構成を示すブロック図である。携帯型情報端末装置１００は、前述した第１および第２可動部１２，１３、内部側操作部１４、内部側表示部１５、外部側表示部１６、外部側操作部１７、撮像部１８、アンテナ１９、制御部３１、画像処理部３２、第１メモリ３３、第２メモリ３４、第１表示ドライバ部３５、第２表示ドライバ部３６、第１バックライトユニット３７、第２バックライトユニット３８、状態検出スイッチ３９、無線部４０、通信制御部４１、音声入力部４２および音声出力部４３に加えて、さらに発光部２０１および着脱メモリコネクタ２０３を含む。
【０１２９】
発光部２０１は、制御部３１によって与えられる制御信号に基づいて、発光する。発光部２０１は、周囲が暗い場合に、撮像を補助するためのライトである。以後、発光部２０１をピクチャライトと呼ぶ場合がある。発光部２０１は、たとえば発光ダイオード
（Light Emitting Diode：略称ＬＥＤ）によって実現される。
【０１３０】
着脱メモリコネクタ２０３は、着脱メモリを着脱自在に装着するインタフェースである。前記着脱メモリは、たとえば半導体メモリなどの不揮発性記録媒体によって実現される。前記半導体メモリは、たとえばフラッシュメモリである。着脱メモリコネクタ２０３は、制御部３１と電気的に接続される。制御部３１は、この着脱メモリコネクタ２０３に装着される着脱メモリに、たとえば撮像部１８によって得られる画像データを含む予め定める情報を記憶させる、または着脱メモリ１８から予め定める情報を読み出す。前述した着脱メモリ取付孔２０２に挿入された着脱メモリは、着脱メモリコネクタ２０３と相互に着脱自在に装着される。
【０１３１】
着脱メモリコネクタ２０３に接続される着脱メモリに、たとえば撮像した撮像画像を記憶させることによって、保存することができる画像データの数を増加させ、また着脱メモリを介しての画像データを他の装置に移動させることが容易にできるようになり、利便性が向上する。
【０１３２】
制御部３１は、たとえばフラッシュメモリなどの不揮発性記憶媒体によって実現される設定情報記憶部２０４を有する。設定情報記憶部２０４には、携帯型情報処理装置の設定に関する情報、たとえば撮像倍率に関する情報、待受画像に関する情報、および撮像した画像を記憶する場所に関する情報などが記憶される。
【０１３３】
図１７〜図２２は、携帯型情報処理装置１００の撮像に関する動作を示すフローチャートである。外部側表示部１６を、図１７および図２１においてサブＬＣＤと表記し、内部側表示部１５を、図１９および図２２においてメインＬＣＤと表記する。これら図１７〜図２２のフローチャートに示す動作は、制御部３１に予め格納されるプログラムに基づいて実行される。前記プログラムは中央演算処理装置によって実行される。
【０１３４】
電話および電子メールなどを待受ける待受状態で、操作者がシャッタキー１１０を予め定める時間操作する、具体的にはたとえば２秒間シャッタキー１１０を押圧すると、図１７に示すフローチャートのステップａ０からステップａ１に移る。
【０１３５】
ステップａ１において、制御部３１は、携帯型情報処理装置１００をカメラモードつまり撮影状態に移行させる。つまり制御部３１は、撮像部１８を起動して、画像処理部３２および第１メモリ３３に制御信号を与えて、撮像部１８による撮像を開始させる。ステップａ１の処理が終了すると、ステップａ２に移る。
【０１３６】
ステップａ２では、制御部３１は、状態検出スイッチ３９のスイッチング状態に基づいて、折り畳み状態であるか否かを判断する。ここで折り畳み状態であると判断されるとステップａ３に移行して、制御部３１は、撮像部１８によって得られた画像を外部側表示部１６に表示する。以後、撮像部１８によって得られた画像を、撮像画像と記載する場合がある。
【０１３７】
図２３は、カメラモードでの外部側表示部１６の表示画面１５０を示す図である。図２３では、初期設定、つまりデフォルト状態における表示画面１５０を表している。図２３の表示画面１５０の下方に前述した背面キー１０９ａ，１０９ｂ，１０９ｃが設けられている。表示画面１５０のヒンジ部２３寄りの端部領域には、携帯型情報処理装置１００の状態を表示する状態表示領域１５１が設けられる。状態表示領域１５１には、携帯情報処理装置１００の状態が、予め定める画像および記号などによって表される。前記携帯情報処理装置１００の状態を表す予め定める画像および記号を、ピクトと記載する場合がある。前記ピクトは、たとえば撮像倍率を表すものであったり、撮像画像が記憶される場所を表すものであったりする。
【０１３８】
表示画面１５０の下側領域、つまり背面キー１０９寄りの端部領域には、各背面キー１０９の左キー１０９ｂ、右キー１０９ｃおよび中央キー１０９ａの説明を示す操作キー説明領域１５２が表示される。操作キー説明領域１５２には、「ズームダウン」、「ズームアップ」、および「メニュー」の文字が表示される。前記「ズームダウン」は、左キー１０９ｂに近接して表示され、「ズームアップ」は、右キー１０９ｃに近接して表示され、「メニュー」は、中央キー１０９ａに近接して表示される。このように各キーにそれぞれ近接する外部側表示部１６の表示領域に、対応する文字が表示されるので、操作者はその文字を確認しつつ所望のキーを操作することが可能となる。本実施の形態では、前記状態表示領域１５１および操作キー説明領域１５２の間の領域には、撮像画像表示領域１５３が設けられ、制御部３１は、この撮像画像表示領域１５３に、撮像部１８によって撮像された撮像画像を表示させる。前記撮像画像表示領域１５３に表示される撮像画像は、撮像部１８から与えられる画像データに基づいて、予め定める間隔で更新される。
【０１３９】
また撮像画像表示領域１５３の操作キー説明領域１５２寄りには、撮像倍率の状態を表す撮像倍率状態表示バー１５４が表示される。撮像倍率状態表示バー１５４は、前述した矩形状表示エリアの一辺１１２に平行、つまり図２３の左右方向に平行に延びる。たとえば撮像倍率状態表示バー１５４の一端部１５５を最小の撮像倍率に対応させ、他端部１５６を最大の撮像倍率に対応させて、一端部または他端部から現在の撮像倍率に対応する部分までの領域を、図２３に示すように、たとえば他の領域と異なる色で表示する。これによって操作者は、現在の撮像倍率の状態を即座に把握することができる。
【０１４０】
ステップａ３において制御部３１は、カメラモードにおいて、撮像部１８によって撮像された画像を、外部側表示部１６に表示させた状態で、左キー１０９ｂおよび右キー１０９ｃを、撮像に関する機能である撮像倍率の変更する指令を入力する指令入力機能に設定する。
【０１４１】
その後ステップａ４に移行し、操作者がズームダウンの指令を入力する左キー１０９ｂを操作したか否かを、制御部３１が判断する。この左キー１０９ｂを操作したと判断されると、ステップａ５に移行し、左キー１０９ｂを操作していないと判断されると、ステップａ６に移行する。
【０１４２】
ステップａ５において、制御部３１は、撮像部１８によって撮像される撮像画像全体のうちの一部を外部側表示部１６にズームダウン表示させる。つまり撮像倍率を低下させる。携帯型情報処理装置１００においては、操作者が左キー１０９ｂを操作する毎に、撮像画像を段階的にズームダウンすることができるうえ、操作者が左キー１０９ｂを長押しすることによって、撮像画像を連続的にズームダウンすることも可能である。操作者が予め定める時間（たとえば約２秒間）続けて左キー１０９ｂを操作すると、制御部３１は左キー１０９ｂが長押しされたと判断する。ただし予め定める時間は、２秒間に限定されるものではない。
【０１４３】
ステップａ５の処理が終了すると、ステップａ６に移る。ステップａ６では、操作者がズームアップに相当する右キー１０９ｃを操作したか否かを、制御部３１が判断する。この右キー１０９ｃを操作したと判断されると、ステップａ７に移行し、右キー１０９ｃを操作していないと判断されると、ステップａ８に移る。
【０１４４】
ステップａ７において、制御部３１は、撮像部１８によって撮像される撮像画像全体の一部を外部側表示部１６にズームアップして表示させる。つまり撮像倍率を上昇させる。携帯型情報処理装置１００においては、操作者が右キー１０９ｃを操作する毎に、撮像画像を段階的にズームアップすることができるうえ、操作者が右キー１０９ｃを長押しすることによって、撮像画像を連続的にズームアップすることも可能である。操作者が予め定める時間（たとえば約２秒間）続けて右キー１０９ｃを操作すると、制御部３１は右キー１０９ｃが長押しされたと判断する。ただし予め定める時間は、２秒間に限定されるものではない。
【０１４５】
ステップａ７の処理が終了すると、ステップａ８に移る。ステップａ８では、操作者がメニューを外部側表示部１６に表示させる中央キー１０９ａを操作したか否かを、制御部３１が判断する。前記中央キー１０９ａを操作したと判断されると、ステップａ９に移行する。ステップａ９において、中央キー１０９ａが開放されたか否かが制御部３１によって判断される。換言すれば操作者が中央キー１０９ａを操作した状態を解除したか否かを、制御部３１が判断する。中央キー１０９ａを開放したと判断されると、ステップａ１０（図２１のサブルーチン）に移行する。ステップａ１０の処理を終了すると、ステップａ１に移る。
【０１４６】
一方ステップａ９において、中央キー１０９ａは開放されていないと制御部３１が判断すると、ステップａ１１に移行する。このステップａ１１で予め定める時間（たとえば約５秒間）経過したか否かを、制御部３１が判断する。ただし前記予め定める時間は、５秒間に必ずしも限定されるものではない。ここで予め定める時間経過していないと判断されると、ステップａ９に移る。予め定める時間経過したと判断されると、ステップａ１２に移行して携帯型情報処理装置１００は、電話および電子メールなどを待受ける待受状態となる。
【０１４７】
ステップａ８で中央キー１０９ａを操作していないと、制御部３１が判断すると、ステップａ１３に移行する。このステップａ１３にて操作者がシャッタキー１１０を操作したか否かを、制御部３１が判断する。ここでシャッタキー１１０を操作していないと判断されると、ステップａ２に移る。逆にシャッタキー１１０を操作したと判断されると、ステップａ１４に移行する。
【０１４８】
ステップａ１４では、操作者がシャッタキー１１０を半押しで操作したか否かを、制御部３１が判断する。前記半押しとは、シャッタキー１１０をその操作片が移動する量の半分だけ押下した状態であってもよいし、シャッタキー１１０を１回押下した状態であってもよい。本実施の形態では、シャッタキー１１０をその操作片が移動する量の半分だけ押下した状態を、半押しとする。
【０１４９】
ステップａ１４において、シャッタキー１１０を半押しで操作したと制御部３１が判断すると、ステップａ１５に移る。ステップａ１５では、フォーカスロックさせた撮像画像を外部側表示部１６に制御部３１が表示させる。
【０１５０】
図２４は、フォーカスロックさせた後の外部側表示部１６の表示画面１５０を示す図である。フォーカスロックさせると、撮像部１８によって得られた画像が外部側表示部１６に表示される。表示画面１５０の操作キー説明領域１５２には、「ズームダウン」および「ズームアップ」の文字が表示される。前記「ズームダウン」は、左キー１０９ｂに近接して表示され、「ズームアップ」は、右キー１０９ｃに近接して表示される。撮像画像表示領域１５３に表示される画像は、前記シャッタキー１１０を押下したときに外部側表示部１６に表示された画像であり、これ以後に撮像部１８から与えられる画像データは外部側表示部１６に表示されない。
【０１５１】
その後ステップａ１６に移行し、操作者がズームダウンの指令を入力する左キー１０９ｂを操作したか否かを、制御部３１が判断する。この左キー１０９ｂを操作したと判断されると、ステップａ１７に移行し、左キー１０９ｂを操作していないと判断されると、ステップａ１８に移行する。
【０１５２】
ステップａ１７において、制御部３１は、外部側表示部１６に表示させている撮像画像全体のうちの一部を、外部側表示部１６にズームダウン表示させる。つまり撮像倍率を低下させる。携帯型情報処理装置１００においては、操作者が左キー１０９ｂを操作する毎に、撮像画像を段階的にズームダウンすることができるうえ、操作者が左キー１０９ｂを長押しすることによって、撮像画像を連続的にズームダウンすることも可能である。操作者が予め定める時間（たとえば約２秒間）続けて左キー１０９ｂを操作すると、制御部３１は左キー１０９ｂが長押しされたと判断する。ただし予め定める時間は、２秒間に限定されるものではない。
【０１５３】
ステップａ１７の処理が終了すると、ステップａ１８に移る。ステップａ１８では、操作者がズームアップの指令を入力する右キー１０９ｃを操作したか否かを、制御部３１が判断する。この右キー１０９ｃを操作したと判断されると、ステップａ１９に移行し、右キー１０９ｃを操作していないと判断されると、ステップａ２０に移る。
【０１５４】
ステップａ１９において、制御部３１は、外部側表示部１６に表示させている撮像画像全体の一部を外部側表示部１６にズームアップ表示する。つまり撮像倍率を上昇させる。携帯型情報処理装置１００においては、操作者が右キー１０９ｃを操作する毎に、撮像画像を段階的にズームアップすることができるうえ、操作者が右キー１０９ｃを長押しすることによって、撮像画像を連続的にズームアップすることも可能である。操作者が予め定める時間（たとえば約２秒間）続けて右キー１０９ｃを操作すると、制御部３１は右キー１０９ｃが長押しされたと判断する。ただし予め定める時間は、２秒間に限定されるものではない。
【０１５５】
ステップa１９の処理が終了すると、ステップａ２０に移る。ステップａ２０では、操作者がシャッタキー１１０を全押しで操作したか否かを、制御部３１が判断する。前記全押しとは、シャッタキー１１０の操作片が移動する量の全て押下した状態であってもよいし、シャッタキー１１０を２回押下した状態であってもよい。本実施の形態では、シャッタキー１１０の操作片が移動する量の全て押下した状態を、全押しとする。
【０１５６】
ステップａ２０において、シャッタキー１１０が全押しされたと制御部３１が判断すると、ステップａ２１に移り、シャッタキー１１０が全押しされてはいないと制御部３１が判断すると、ステップａ１６に移る。また前述のステップａ１４において、シャッタキー１１０が半押しされてはないと制御部３１が判断すると、ステップａ２１に移る。
【０１５７】
ステップａ２１では制御部３１は、予め設定されたサイズにて撮像部１８によって得られた画像データを第１メモリ３３に仮保存する。前記画像データのサイズに関する情報は、制御部３１の設定情報記憶部２０４に予め記憶されている。
【０１５８】
このようにカメラモードでは、左キー１０９ｂまたは右キー１０９ｃを操作するだけで、撮像倍率を容易に変更することができるので、撮像時の操作性が向上する。また、フォーカスロックした後、撮像倍率を変更することができるので、予め設定している撮像倍率で撮像した画像であっても、その撮像倍率を容易に変更することができ、撮像の自由度がさらに向上する。
【０１５９】
ステップａ２１の処理を終了すると、ステップａ２２に移る。ステップａ２２では、制御部３１は、ステップａ２１で仮保存した撮像画像を外部側表示部１６に表示させる。
【０１６０】
図２５は、仮保存した撮像画像を表示させた外部側表示部１６の表示画面１５０を示す図である。ステップａ２１の処理によって、外部側表示部１６の表示画面１５０には、仮保存された画像データに基づく画像が表示される。表示画面の操作キー説明領域１５２には、「メール送信」、「保存」および「画面設定」の文字が表示される。前記「メール送信」は左キー１０９ｂに近接して表示され、「保存」は中央キー１０９ａに近接して表示され、また「画面設定」は右キー１０９ｃに近接して表示される。
【０１６１】
ステップａ２２の処理を終了すると、図１８に示すステップａ２３に移る。ステップａ２３では、状態検出スイッチ３９のスイッチング状態に基づいて、制御部３１は、携帯型情報処理装置１００が折り畳み状態であるか否かを判断する。携帯型情報処理装置１００が折り畳み状態でないと判断されると、図１９に示すステップａ４９に移行する。ステップａ２３において、携帯型情報処理装置１００が折り畳み状態であると判断されると、ステップａ２４に移行する。ステップａ２４において、右キー１０９ｃを操作したか否かを、制御部３１が判断する。ステップａ２４において、右キー１０９ｃは、待受け表示画面登録キーとして機能する。
【０１６２】
ステップａ２４において、右キー１０９ｃを操作したと判断されると、ステップａ２５に移行し、制御部３１は、前述したステップａ２１で仮保存された画像データを、たとえば予め定める圧縮方法によって圧縮する。本実施の形態では、たとえば前記圧縮方法としてＪＰＥＧ（Joint Photographic Experts Group）を用い、前記仮保存された画像データをＪＰＥＧデータに変換する。このＪＰＥＧデータに変換するステップは、撮像部１８によって得られる画像データサイズと、通信部４０によって送信可能な送信データサイズとに基づき圧縮率を定め、その圧縮率によって仮保存された画像データをＪＰＥＧデータに変換するステップと同義である。
【０１６３】
次にステップａ２６に移行し、制御部３１は、ステップａ２５の処理によって得られたＪＰＥＧデータを、設定情報記憶部２０４に記憶される設定情報に基づいて、たとえば第２メモリ３４または着脱メモリにライブラリとして保存する。その後ステップａ２７に移行して、内部側表示部１５の待受表示画面、すなわち待受画像を登録したのち、図１７のステップａ１２に移る。折り畳み状態で、かつ待受状態において制御部３１は、外部側表示部１６に撮像した待受画像として登録されている画像を表示する。前記制御部３１は、たとえばフラッシュメモリなどの不揮発性記憶媒体によって実現される設定情報記憶部２０４を有し、この設定情報記憶部２０４に待受画像として登録される画像の情報を記憶している。
【０１６４】
ステップａ２４において、右キー１０９ｃを操作していないと制御部３１が判断すると、ステップａ２８に移行する。ステップａ２８において、左キー１０９ｂを操作したか否かを、制御部３１が判断する。ステップａ２８において、左キー１０９ｂは、ＪＰＥＧデータ保存キーおよびメール送信キーに相当する。この左キー１０９ｂを操作したと判断されると、ステップａ２９に移行し、制御部３１は、ステップａ２１で仮保存された画像データをたとえばＪＰＥＧデータに変換する。次にステップａ２３に移行し、制御部３１はこのＪＰＥＧデータを、設定情報記憶部２０４に記憶される設定情報に基づいて、たとえば第２メモリ３４または着脱メモリにライブラリとして保存する。その後ステップａ３１に移行して、前記ステップａ２３で第２メモリ３４に保存された画像データを、電子メールに添付して、予め定める通知先に送信して、図１７に示すフローチャートのステップａ１２に移る。前記予め定める通知先は、設定情報記憶部２０４に記憶されている。操作者は、内部側操作部１４を用いて設定情報記憶部２０４に予め定める通知先を登録することができる。このように、右キー１０９ｃを操作するといった簡易な動作で、撮像した画像を予め定める通知先に送信することができ、撮像した画像の利用範囲を拡大することができる。
【０１６５】
ステップａ２８において、左キー１０９ｂを操作していないと制御部３１が判断すると、ステップａ３２に移行し、中央キー１０９ａを操作したか否かを、制御部３１が判断する。ステップａ３２において、中央キー１０９ａは、ＪＰＥＧデータ保存キーおよび撮影状態へ戻るキーに相当する。この中央キー１０９ａを操作していないと判断されると、ステップａ２３に移る。ステップａ３２で中央キー１０９ａを操作したと判断されると、ステップａ３３に移行する。このステップａ３３において、中央キー１０９ａが開放されたか否かが制御部３１によって判断される。操作者が中央キー１０９ａを操作した状態を解除したと、制御部３１が判断すると、ステップａ３４に移行する。
【０１６６】
ステップａ３４では、ステップａ２１で仮保存された画像データをたとえばＪＰＥＧデータに変換する。次にステップａ３５に移行し、制御部３１は、ステップａ３４で得られたＪＰＥＧデータを、設定情報記憶部２０４に記憶される設定情報に基づいて、たとえば第２メモリ３４または着脱メモリにライブラリとして保存する。ステップａ３５の処理を終了すると、図１７に示すフローチャートのステップａ１に移る。
【０１６７】
前記ステップａ３３において、中央キー１０９ａは開放されていないと制御部３１が判断すると、ステップａ３６に移行する。このステップａ３６で予め定める時間経過したか否かを、制御部３１が判断する。前記予め定める時間は、たとえば約５秒間である。ただし前記予め定める時間は、５秒間に必ずしも限定されるものではない。ここで予め定める時間経過していないと判断されると、ステップａ３３に戻る。ステップａ３６において、予め定める時間経過したと判断されると、図１７に示すフローチャートのステップａ１２に移る。
【０１６８】
図１７に示すフローチャートのステップａ２において、携型情報処理装置１００は折り畳み状態ではないと判断されると、図１９に示すフローチャートのステップａ３７に移行する。ここで制御部３１は、携帯型情報処理装置１００が折り畳み状態であるか否かを再び判断する。このステップａ３７で折り畳み状態であると判断されると、図１７に示すフローチャートのステップａ２に移る。ステップａ３７で、携帯型情報処理装置１００が折り畳み状態ではない、つまり展開状態であると制御部３１が判断すると、ステップａ３８に移行する。
【０１６９】
前記ステップａ３８において、制御部３１は、撮像画像を内部側表示部１５に表示する。その後ステップａ３９に移行し、操作者がズームダウンの指令を与える操作キー１４ａに含まれる左キー１２９を操作したか否かを、制御部３１が判断する。この左キー１２９を操作したと判断されると、ステップａ４０に移行し、制御部３１は、撮像画像を内部側表示部１５にズームダウンつまり縮小して表示させる。
【０１７０】
次にステップａ４１に移行し、操作者がズームアップの指令を与える右キー１３０を操作したか否かを、制御部３１が判断する。この右キー１３０を操作したと判断されると、ステップａ４２に移行し、制御部３１は撮像画像を内部側表示部１５にズームアップつまり拡大して表示する。その後ステップａ４３に移行し、操作者が操作キー１４ａに含まれるカメラキー１３４（図１３参照）を操作したか否かを、制御部３１が判断する。前記カメラキー１３４を操作したと制御部３１が判断すると、ステップａ４４（図２２のサブルーチン）に移行する。
【０１７１】
ステップａ４３でカメラキー１３４を操作していないと、制御部３１が判断すると、ステップａ４５に移行する。このステップａ４５において、操作キー１４ａに含まれる電源キー１３５を操作者が操作したか否かを、制御部３１が判断する。ここで電源キー１３５を操作したと制御部３１が判断すると、ステップａ４６に移る。ステップａ４６に移行して携帯型情報処理装置１００は、電話および電子メールなどを待受ける待受状態となる。
【０１７２】
ステップａ４５で電源キー１３５を操作していないと、制御部３１が判断すると、ステップａ４７に移行する。ステップａ４７で、操作キー１４ａに含まれるＦキー１３１を操作者が操作したか否かを、制御部３１が判断する。ここでＦキー１３１を操作していないと制御部３１が判断すると、ステップａ３７に移る。一方Ｆキー１３１を操作したと制御部３１が判断すると、ステップａ４８に移行する。
【０１７３】
ステップａ４８において制御部３１は、予め設定されたサイズにて撮像した画像データを第１メモリ３３に仮保存する。その後ステップａ４９に移行し、制御部３１は、仮保存した撮像画像を内部側表示部１５に表示させる。
【０１７４】
その後図２０に示すステップａ５０に移行し、状態検出スイッチ３９のスイッチング状態に基づいて、制御部３１は、携帯型情報処理装置１００が折り畳み状態であるか否かを判断する。ここで携帯型情報処理装置が折り畳み状態であると判断されると、図１７に示すフローチャートのステップａ２２に移行する。携帯型情報処理装置１００が折り畳み状態でないと判断されると、ステップａ５１に移行する。ステップａ５１において、操作者がカメラキー１３４を操作したか否かを、制御部３１が判断する。
【０１７５】
このカメラキー１３４を操作したと判断されると、ステップａ５２に移行し、制御部３１は、ステップａ４８で仮保存された画像データをたとえばＪＰＥＧデータに変換する。次にステップａ５３に移行し、制御部３１はステップａ５２で得られたＪＰＥＧデータを、設定情報記憶部２０４に記憶される設定情報に基づいて、たとえば第２メモリ３４または着脱メモリにライブラリとして保存する。その後ステップａ５４に移行して、外部側表示部１６の待受表示画面、すなわち待受画像を登録したのち、図１９に示すフローチャートのステップａ４６に移る。展開状態で、かつ待受状態において制御部３１は、内部側表示部１５に撮像した待受画像として登録されている画像を表示する。前記設定情報記憶部２０４に待受画像として登録された画像の情報が記憶される。
【０１７６】
ステップａ５１において、カメラキー１３４を操作していないと制御部３１が判断すると、ステップａ５５に移行する。ステップａ５５において、操作者がキー操作部１４ａに含まれるメールキー１３３を操作したか否かを、制御部３１が判断する。メールキー１３３は、ＪＰＥＧデータ保存キーおよびメール送信移行キーに相当する。ステップａ４８において、メールキー１３３を操作したと判断されると、ステップａ５６に移行し、制御部３１は、ステップａ４８で仮保存された画像データをたとえばＪＰＥＧデータに変換する。次にステップａ５７に移行し、制御部３１はステップａ５６で得られたＪＰＥＧデータを、設定情報記憶部２０４に記憶される設定情報に基づいて、たとえば第２メモリ３４または着脱メモリにライブラリとして保存する。その後ステップａ５８に移行して、ステップａ５７で保存された画像データを添付した電子メールを、予め定める通知先に送信して、図１７に示すフローチャートのステップａ１に移る。
【０１７７】
ステップａ５５において、メールキー１３３を操作していないと制御部３１が判断すると、ステップａ５９に移行し、操作者がＦキー１３１を操作したか否かを、制御部３１が判断する。Ｆキー１３１は、ＪＰＥＧデータ保存キーおよび撮影状態へ移るキーに相当する。このＦキー１３１を操作していないと判断されると、ステップａ５０に移る。ステップａ５９でＦキー１３１を操作したと判断されると、ステップａ６０に移行する。ステップａ６０では、ステップａ４８で仮保存された画像データをたとえばＪＰＥＧデータに変換する。次にステップａ６１に移行し、制御部３１はステップａ６０で得られたＪＰＥＧデータを、設定情報記憶部２０４に記憶される設定情報に基づいて、たとえば第２メモリ３４または着脱メモリにライブラリとして保存する。その後図１７に示すフローチャートのステップａ１に移る。
【０１７８】
図２１は、図１７のステップａ１０における撮影サブメニューのサブルーチンを表すフローチャートである。図１９に示すフローチャートにおいて、ステップａ９からステップａ１０の撮影サブメニューに移行すると、ステップａ７０からステップａ７１に移行する。ステップａ７１において、制御部３１は外部側表示部１６にサブメニュー３０１を表示させる。
【０１７９】
図２６および図２７は、サブメニュー３０１が表示された外部側表示部１６の表示画面１５０を示す図である。サブメニュー３０１は、表示画面１５０の撮像画像表示領域１５３に表示される。サブメニュー３０１は複数の項目を含み、前記の項目が、撮像に関連する複数の機能の中から希望する機能を設定するための機能表示ボタンである。複数の項目は、デフォルト状態では表示画面の縦方向、言い換えればヒンジ部２３から第１可動部１２の遊端部２４に向かう方向に順番に並んで表示される。
【０１８０】
キー操作説明領域１５２には、「上」、「下」および「決定」の文字が表示される。前記「上」は、左キー１０９ｂに近接して表示され、「下」は、右キー１０９ｃに近接して表示され、「決定」は、中央キー１０９ａに近接して表示される。このように各キーにそれぞれ近接する外部側表示部１６の表示領域に、対応する文字が表示されるので、操作者はその文字を確認しつつ所望のキーを操作することが可能となる。
【０１８１】
次にステップａ７２に移行して、制御部３１は、状態検出スイッチ３９のスイッチング状態に基づいて、折り畳み状態であるか否かを判断する。ここで折り畳み状態ではないと判断されると、図１９に示すフローチャートのステップａ４４の撮影メインメニューに移行する。ステップａ７２で携帯型情報処理装置１００が折り畳み状態であると判断されると、ステップａ７３に移行し、制御部３１は、複数の項目のうちの所望の項目を選択する。複数の項目のうちいずれか１つは、たとえばカーソル１５７によって他の項目と区別して表示させる。これによって複数の項目のうち、選択される項目を操作者が把握することができる。
【０１８２】
制御部３１は、左キー１０９ｂまたは右キー１０９ｃが操作されることによって、左キー１０９ｂまたは右キー１０９ｃの操作によって入力される指令情報に応答して、カーソル１５７を移動させる。図２６および図２７に示すように、本実施の形態では、サブメニュー３０１の複数の項目の全てを一度に表示画面１５０に表示させることができないが、カーソル１５７を移動させることによって、たとえば図２６に示す表示画面１５０で表示されていない項目を、図２７に示す表示画面１５０に表示させることができる。
【０１８３】
本実施の形態では、前記複数の項目は（１）ファインダ方向切替、（２）撮影モード切替、（３）連続撮影、（４）セルフタイマー、（５）ピクチャライト設定、（６）メモリ切替、（７）ピクト表示切替、（８）ボタン操作一覧、および（９）撮影終了を含む。
【０１８４】
「（１）ファインダ方向切替」は、表示部の表示を、縦方向と横方向とを切替えて設定するため項目である。表示部における表示は、たとえばデフォルト状態で縦方向に設定されている。前記表示部における表示を縦方向に設定すると、ヒンジ部２３を上とし、第１可動部１２の遊端部２４を下とした場合に、外部側表示部１６に表示される文字などの上下方向が前記上下方向と一致する。前記表示部における表示を横方向に設定すると、第１可動部１２の一側面部を上とし他側面部を下とした場合に、外部側表示部１６に表示される文字などの上下方向が前記上下方向と一致する。
【０１８５】
「（２）撮影モード切替」は、静止画を撮影するのか、または動画を撮影するのかを切替えて設定するための項目である。撮影モードを動画に設定すると、前記シャッタボタン１１０またはカメラキー１３４を操作することによって、たとえば予め定める時間の動画を撮影することができる。動画を撮影する場合には、制御部３１はたとえばＭＰＥＧ（
Moving Picture Coding Experts Group）によって撮像部１８によって得られた画像データを圧縮して、たとえば第２メモリ３４または着脱メモリにライブラリとして保存する。
【０１８６】
「（３）連続撮影」は、シャッタボタン１１０を操作することによって撮像される画像の連続枚数を切替えて設定するための項目である。たとえば連続撮影を設定すると、シャッタボタン１１０を１回操作することによって、予め定める複数枚の画像を撮像することができる。前記予め定める連続撮像枚数は、たとえばデフォルトの場合、６枚とする。
【０１８７】
「（４）セルフタイマー」は、セルフタイマーのスイッチング状態を切替えて設定するための項目である。たとえばセルフタイマーのスイッチング状態をＯＮ状態とすると、設定後、予め定める時間の後にシャッタキー１１０が自動的に操作される。
【０１８８】
「（５）ピクチャライト設定」は、発光部２０１の発光させるか否かを切替えて設定するための項目である。
【０１８９】
「（６）メモリ切替」は、撮像部１８によって撮像された画像データを、携帯型情報処理装置１００の内蔵メモリである第２メモリ３４と、着脱メモリコネクタ２０３に着脱自在に装着される着脱メモリとのいずれに記憶させるのかを設定するための項目である。
【０１９０】
「（７）ピクト表示切替」は、携帯型情報処理装置１００の状態を表すピクトを表示させるか否かを設定するための項目である。
【０１９１】
「（８）ボタン操作一覧」は、背面キー１０９ａ，１０９ｂ，１０９ｃの操作の説明に関する情報を表示させるか否かの設定を選択するための項目である。
「（９）撮影終了」は、撮像部１８による撮影の終了を選択するための項目である。
【０１９２】
次に、ステップａ７４に移行し、操作者が決定キーに相当する中央キー１０９ａを操作したか否かを制御部３１が判断する。中央キー１０９ａを操作していないと制御部３１が判断すると、ステップａ７２に移る。中央キー１０９ａを操作したと制御部３１が判断すると、ステップａ７５に移行する。ここで中央キー１０９ａが開放されたか否かが制御部３１によって判断される。このステップａ７５において中央キー１０９ａが開放されたと制御部３１が判断すると、ステップａ７６に移る。
【０１９３】
ステップａ７６では、ステップａ７３において、項目「（９）撮影終了」が選択されていているか否かが制御部３１によって判断される。ステップａ７６において、「（９）撮影終了」が選択されていると制御部３１が判断した場合、図１７に示すフローチャートのステップａ１２に移る。一方ステップａ７６において、「（９）撮影終了」が選択されていないと制御部３１が判断した場合、ステップａ７７に移り、ステップａ７６で選択された項目について設定を変更する。前述したように制御部３１は、たとえばフラッシュメモリなどの不揮性記憶媒体によって実現される設定情報記憶部２０４を有し、ステップａ７７では、設定された情報を前記設定情報記憶部２０４に記憶する。このように、設定された情報が記憶されるので、撮影毎に設定情報を変更する必要がなく、利便性が向上される。
【０１９４】
ステップａ７３において、「（１）ファインダ方向切替」が選択されている場合、ステップａ７７では、表示部における表示が縦方向であれば、横方向として設定され、また表示部における表示が横方向であれば、縦方向に設定される。
【０１９５】
図２８は、表示状態の設定が変更された外部側表示部１６の表示画面１５０を示す図である。たとえばステップａ７７で表示状態の設定を変更すると、図２６に示す表示状態から図２８に示す表示状態となる。カメラモードにおいても表示状態は維持される。したがって表示状態を変更することができるので、撮像における自由度がさらに向上する。
【０１９６】
またステップａ７３において、「（２）撮影モード切替」が選択されている場合、ステップａ７７では、撮影モードが静止画でれば、撮影モードを動画に設定し、撮影モードが動画であれば、撮影モードを静止画に設定する。
【０１９７】
またステップａ７３において、「（３）連続撮影」が選択されている場合、ステップａ７７では、連続撮影枚数が１枚であれば、連続撮影枚数を予め定める複数枚数に設定し、連続撮影枚数が予め定める複数枚数であれば、連続撮影枚数を１枚に設定する。
【０１９８】
またステップａ７３において、「（４）セルフタイマー」が選択されている場合、ステップａ７７では、セルフタイマーのスイッチング状態がＯＮである場合、このスイッチング状態をＯＦＦとし、セルフタイマーのスイッチング状態がＯＦＦである場合、このスイッチング状態をＯＮに設定する。
【０１９９】
またステップａ７４において、「（５）ピクチャライト設定」が選択されている場合、ステップａ７７では、発光部２０１のスイッチング状態がＯＮである場合、このスイッチング状態をＯＦＦとし、発光部２０１のスイッチング状態がＯＦＦである場合、このスイッチング状態をＯＮに設定する。これによって、発光部２０１を点灯させる、または消灯させることができる。
【０２００】
またステップａ７４において、「（６）メモリ切替」が選択されている場合、ステップａ７７では、撮像部１８によって撮像された画像データを、第２メモリ３４に記憶するように設定されている場合、前記画像データを着脱メモリに記憶させるように設定し、撮像部１８によって撮像された画像データを、着脱メモリに記憶するように設定されている場合、前記画像データを第２メモリ３４に記憶するように設定する。
【０２０１】
またステップａ７４において、「（７）ピクト表示切替」が選択されている場合、ステップａ７７では、ピクトが表示されている場合、このピクトを表示しないように設定し、またピクトが表示されていない場合、このピクトを表示させるように設定する。
【０２０２】
またステップａ７４において、「（８）ボタン操作一覧」が選択されている場合、ステップａ７７では、ボタン操作の説明に関する情報を表示させていなければ、ボタン操作の説明に関する情報を表示させる。
【０２０３】
ステップａ７７の処理が終了すると、ステップａ７８に移りサブルーチンを終了して、図１に示すフローチャートのステップａ１に移る。ステップａ７５において中央キー１０９ａが開放されていないと制御部３１が判断すると、ステップａ７９に移行する。ここで予め定める所定時間（たとえば約５秒）経過したか否が制御部３１によって判断される。所定時間経過していないと制御部３１が判断した場合、ステップａ７５に移る。またステップａ７９において、所定時間経過している制御部３１が判断した場合、ステップａ７８に移りサブルーチンを終了して、図１に示すフローチャートのステップａ１に移行する。
【０２０４】
図２２は、撮影メインメニューのサブルーチンを表すフローチャートである。図１９に示すフローチャートのステップａ４４の撮影メインメニューに移行すると、次に図２２に示すステップａ８０からステップａ８１に移る。このステップａ８１において、制御部３１は内部側表示部１５にメインメニューを表示させる。前記メインメニューは、前述したサブメニュー３０１と同様である。
【０２０５】
次にステップａ８２に移行して、制御部３１は、状態検出スイッチ３９のスイッチング状態に基づいて、折り畳み状態であるか否かを判断する。ここで折り畳み状態と判断されると、図１７に示すフローチャートのステップａ１０の撮影サブメニューに移行する。一方ステップａ８２で、携帯型情報処理装置１００が折り畳み状態でないと判断されると、ステップａ８３に移行し、内部側操作部１４によって入力される指令情報に基づいて、メインメニューに含まれる複数の項目のうちの所望の項目を選択する。
【０２０６】
前記内部側表示部１５に表示される複数の項目には、前述した外部側表示部１６に表示される項目と同様に、たとえば（１）ファインダ方向切替、（２）撮影モード切替、（３）連続撮影、（４）セルフタイマー、（５）ピクチャライト設定、（６）メモリ切替、（７）ピクト表示切替、（８）ボタン操作一覧、および（９）撮影終了などがある。
【０２０７】
その後ステップａ８４に移行し、操作者が操作キー１４ａに含まれるクリアキー１３６を操作したか否かを制御部３１が判断する。クリアキー１３６を操作したと制御部３１が判断すると、図１７に示すフローチャートのステップａ１に移行し、制御部３１は、携帯型情報処理装置１００をカメラモードつまり撮影状態にする。ステップａ８４においてクリアキー１３６を操作していないと制御部３１が判断すると、ステップａ８５に移行する。このステップａ８５でＦキー１３１を操作したか否かを制御部３１が判断する。
【０２０８】
ステップａ８５において、Ｆキー１３１が操作されていないと制御部３１が判断すると、ステップａ８２に移り、Ｆキー１３１が操作されたと制御部３１が判断すると、ステップａ８６に移る。ステップａ８６では、ステップａ８３の項目の選択において、「（９）撮影終了」が選択されていているか否かが制御部３１によって判断される。ステップａ８６において、「（９）撮影終了」が選択されていると制御部３１が判断した場合、ステップａ９７に移り、図１９に示すフローチャートのステップａ４６に移る。
【０２０９】
ステップａ８６において、「（９）撮影終了」が選択されていないと制御部３１が判断した場合、ステップａ８７に移る。ステップａ８７では、下位メニューがあるか否かを制御部３１が判断する。下位メニューは、前記メインメニューの項目に対応する機能を詳細に設定するための複数の項目を含む。
【０２１０】
ステップａ８７において、下位メニューがないと制御部３１が判断した場合、ステップａ８８に移り、ステップａ８３で選択された項目に対応する機能の設定を変更する。その後図１７に示すフローチャートのステップａ１に移る。
【０２１１】
前述したステップａ８７で、下位メニューがあると制御部３１が判断すると、ステップａ９１に移行し、内部側表示部１５に下位メニューを表示させる。制御部３１は、下位メニューとして、機能の詳細を設定するための選択表示ボタンを表示させる。たとえば、「（３）連続撮影」の下位メニューでは、連続撮影の枚数が表示され、つまりたとえば２枚、９枚および２５枚など連続撮影される画像の枚数に対応する機能表示ボタンが表示される。またたとえば「（４）セルフタイマー」の下位メニューでは、タイマの時間が表示され、つまりたとえば５秒、１０秒および１５秒などタイマの時間に対応する機能表示ボタンが表示される。
【０２１２】
次にステップａ９２に移行して、制御部３１は、状態検出スイッチ３９のスイッチング状態に基づいて、折り畳み状態であるか否かを判断する。ここで折り畳み状態と判断されると、図１７に示すステップａ１０の撮影サブメニューに移行する。一方ステップａ９２で、携帯型情報処理装置１００が折り畳み状態でないと判断されると、ステップａ９３に移行し、外部側操作部１７によって入力される指令情報に基づいて、複数の項目のうちの所望の項目を選択する。
【０２１３】
その後ステップａ９４に移行し、操作者が操作キー１４ａに含まれるクリアキー１３６を操作したか否かを制御部３１が判断する。クリアキー１３６を操作したと制御部３１が判断すると、ステップａ８１に移る。一方ステップａ９４においてクリアキー１３６を操作していないと制御部３１が判断すると、ステップａ９５に移行する。このステップａ９５でＦキー１３１を操作したか否かを制御部３１が判断する。
【０２１４】
ステップａ９５において、Ｆキー１３１が操作されていないと制御部３１が判断するとステップａ９２に移り、Ｆキー１３１が操作されていると制御部３１が判断すると、ステップａ９６に移る。ステップａ９６では、ステップａ９３で選択された項目に対応する機能の設定を変更する。このように制御部３１は、内部側表示部１５に表示させる機能表示ボタンによって、外部側表示部１６に表示させる機能選択ボタンによって設定される機能の、より詳細な設定を変更することができる。変更された設定情報は、設定情報記憶部２０４に記憶される。その後ステップａ９７に移り、図１７に示すフローチャートのステップａ１に移る。
【０２１５】
表１に、前述の図１７〜図２２に示すフローチャートにおいて示した、カメラモードで撮像部１８によって撮像された画像を外部側表示部１６に表示させている状態、サブメニュー３０１を外部側表示部１６に表示させている状態、および撮影後のプレビュー表示中、つまり仮保存された画像を外部側表示部１６に表示させている状態の各状態で、外部側操作部１７の各操作キーに対応する指令をまとめて示す。
【０２１６】
【表１】
0003691830.tif 000002
【０２１７】
たとえば、カメラモードで、左キー１０９ｂを操作すると、ズームダウンの指令を制御部３１に与えることができる。
【０２１８】
前述した携帯型情報処理装置１００によれば、キー操作部１９によって、撮像画像全体のうちの少なくとも一部を選択する。このように撮像画像全体のうち操作者の所望の一部を簡単に選択することができ、撮像における自由度が向上する。また携帯型情報処理装置１００によれば、外部側操作部１７は操作片である各背面キー１０９ａ，１０９ｂ，１０９ｃを含み、各背面キー１０９ａ，１０９ｂ，１０９ｃによって、画像を記憶する記憶指令と、撮像した画像を待受け表示画面として設定する待受け表示指令とを略同時に行うことができる。このように各背面キー１０９ａ，１０９ｂ，１０９ｃによって、記憶指令と待受け表示指令とを、それぞれ独立して行う必要がなくなるので、待受け表示画面の設定自体を一層簡略化することができる。
【０２１９】
本実施の形態によれば、３つの背面キー１０９ａ，１０９ｂ，１０９ｃが適当間隔おきに配設されているが、必ずしもこの形態に限定されるものではない。これら３つの背面キー１０９ａ，１０９ｂ，１０９ｃのうちの１つの背面キーを、矩形状表示エリアの一辺に近接して配設し、別の１つの背面キーを、前記一辺に隣接する一辺に近接して配設する。さらに残りの背面キーを、矩形状表示エリアの一辺に隣接する他の一辺に近接して配設することも可能である。このように背面キー１０９ａ，１０９ｂ，１０９ｃの間隔を大きくすることによって、別の背面キーを不所望に操作することを防止することができる。本実施のさらに他の実施の形態において、下位メニューの項目には、さらに下位のメニューが含まれていてもよい。
【０２２０】
本実施の形態では、内部側操作部１４および外部側操作部１７のようなハードウェアによって形成される機能設定操作ボタンを用いて、内部側表示部１５および外部側表示部１６に表示され、ソフトウェアによって形成される機能表示ボタンを選択して、この機能表示ボタンに対応する機能を設定することによって、機能設定操作ボタンを少なく構成することができる。したがって、装置のハードウェア構成を簡略化することができ、部品数を低減して装置の組み立てを容易にすることができる。
【０２２１】
前述した制御部３１は、内部側表示部１５に表示させる項目に比べて、設定可能な機能が制限された状態で外部側表示部１６に項目を表示させる。つまり詳細な設定を行う場合には、内部側表示部１５に表示される複数の機能表示ボタンによって設定し、簡易な設定を行う場合には、外部側表示部１６にされる複数の機能表示ボタンによって設定することができる。
【０２２２】
したがって詳細な設定を行わない場合には、折り畳み状態で設定を行うことができ、撮影に関する機能を設定するために折り畳み状態から展開状態とする必要がないので、操作手順の簡略化を図ることができるうえ、設定時間を短縮することが可能となる。内部側表示部１５よりも表示面の小さな外部側表示部１６を用いて設定を行うので、携帯型情報処理装置１００の消費電力を可及的に小さくすることができる。したがって、携帯型情報処理装置１００の各部に電力を供給するたとえば充電池などの電源で、より長い時間携帯型処理装置１００を駆動することができる。また制御部３１は、内部側表示部１５に表示させる項目に比べて、表示される機能表示ボタンの数を制限して外部側表示部１６に表示させてもよい。
【０２２３】
また本実施の形態においては、図２３に示すように表示画面１５０に操作キー説明領域１５２を設けているが、本発明の他の実施の形態において、この操作キー説明領域１５２を設けなくてもよい。この場合、撮像画像表示領域１５３の範囲を大きくすることができ、操作者は、撮像された画像を確認しやすくなる。
【０２２４】
本実施の形態においては、画像データをＪＰＥＧデータに変換しているが、必ずしもＪＰＥＧデータに限定されるものではなく、たとえばＰＮＧ（Portable Network Graphics）データに変換してもよい。その他、前記実施の形態に、特許請求の範囲を逸脱しない範囲において種々の部分的変更を行う場合もある。
【０２２５】
さらには本発明の各実施の形態において、携帯型情報処理装置として携帯電話装置について説明したが、本発明の実施の他の形態においては、携帯型情報処理装置は、たとえばノート型のパーソナルコンピュータ、情報携帯端末（Personal Digital Assistant；略称ＰＤＡ）などであってもよい。
【０２２６】
本発明は、次の実施の形態が可能である。
（１）相互に対向させた折り畳み状態と、前記折り畳み状態で対向する領域が外部に露出する展開状態とにわたって、相互に角変位自在に連結される第１および第２可動部と、第１および第２可動部を相互に対向させた折り畳み状態で、第２可動部の第１可動部に対向する領域に設けられ、所定の情報を入力する内部側操作部と、第１および第２可動部を相互に対向させた折り畳み状態で、第１可動部の第２可動部に対向する領域に設けられ、前記内部側操作部によって入力された所定の情報に応答して所定の表示内容を表示する内部側表示部と、第１および第２可動部を相互に対向させた折り畳み状態で、第１および第２可動部のうち少なくともいずれか一方の外部に露出する領域に設けられ、所定の表示内容を表示する外部側表示部と、第１および第２可動部を相互に対向させた折り畳み状態で、第１および第２可動部の前記外部に露出する領域のうち前記外部側表示部に関して背後となる領域を除く残余の領域に設けられ、前記外部側表示部に表示される所定の表示内容に関する所定の情報を入力する外部側操作部とを含むことを特徴とする携帯型情報処理装置。
【０２２７】
第１および第２可動部を相互に対向させた折り畳み状態であっても、第１および第２可動部の可動部の外部に露出する領域には、この領域に設けられる外部側表示部に表示される所定の表示内容に関する所定の情報を入力する外部側操作部が設けられるので、第１および第２可動部を、第１および第２可動部の折り畳み状態で対向する領域を外部に露出させた展開状態としなくても、外部側操作部によって所定の情報を入力して、外部側表示部に所定の表示内容を表示させることができる。
【０２２８】
外部側操作部は、第１および第２可動部を相互に対向させた折り畳み状態で、第１および第２可動部の外部に露出する領域のうち、外部側表示部に関して背後となる領域を除く残余の領域に設けられるので、外部側操作部は、操作者が外部側表示部を目視しながら操作可能な領域に配置される。したがって、操作者は、外部側表示部を目視しながら外部側操作部によって所定の情報を入力することができるので、外部側表示部に操作者の望む所定の表示内容を容易に表示させることができる。
【０２２９】
（２）前記外部に露出する領域には、外部側表示部の表示面が臨む側と同一側に臨んで設けられ、内部側操作部および外部側操作部のうちいずれか一方によって入力された所定の情報に応答して撮像する撮像部が設けられ、前記撮像部で撮像された画像は、前記撮像部で撮像するための所定の情報を入力した内部側操作部および外部側操作部のうちいずれか一方に対応する内部側表示部および外部側表示部のうちいずれか一方に少なくとも表示されることを特徴とする携帯型情報処理装置。
【０２３０】
撮像部は、内部側操作部および外部側操作部のいずれか一方から入力される所定の情報に応答して撮像する。前記撮像部で撮像するために所定の情報を内部側操作部によって入力した場合、内部側操作部に対応する内部側表示部に少なくとも前記撮像部で撮像した画像が表示され、前記撮像部で撮像するために所定の情報を外部側操作部によって入力した場合、外部側操作部に対応する外部側表示部に少なくとも前記撮像部で撮像された画像が表示される。
【０２３１】
また撮像部は、外部側表示部の表示面が臨む側と同一側に臨んで設けられるので、操作者が操作者自身を撮像する場合であっても、外部側表示部に撮像部によって撮像される画像を表示させることによって、撮像部によって撮像可能な範囲を確認しながら撮像することができる。
【０２３２】
（３）第１および第２可動部の折り畳み状態および展開状態を検出する状態検出部を有し、第１および第２可動部が展開状態である場合、内部側操作部を能動化し、かつ外部側操作部を不能動化し、第１および第２可動部が折り畳み状態である場合、内部側操作部を不能動化し、かつ外部側操作部を能動化することを特徴とする携帯型情報処理装置。
【０２３３】
第１および第２可動部が展開状態である場合には、内部側操作部を能動化し、かつ外部側操作部を不能動化し、第１および第２可動部が折り畳み状態である場合には、内部側操作部を不能動化し、外部側操作部を能動化するので、内部側操作部および外部側操作部のうちいずれの操作部によって入力を行うのかを選択するための所定の情報を外部側操作部または外部側操作部によって入力しなくても、第１および第２可動部を相互に角変位させ、折り畳み状態または展開状態とするだけで、内部側操作部および外部側操作部のいずれから入力を行うのかを容易に選択することができる。
【０２３４】
内部側操作部から所定の情報を入力するために、第１および第２可動部を展開状態とすると、内部側操作部による入力のみが有効となるので、外部側操作部が不所望に他の物体と接触しても、入力操作が行なわれることがなく、誤動作を防止することができる。また外部側操作部から所定の情報を入力するために、第１および第２可動部を折り畳み状態とすると、外部側操作部による入力のみが有効となり、操作部を選択する操作を行わなくても外部側操作部から所定の情報を入力することができる。
【０２３５】
（４）前記内部側操作部および外部側操作部のうち少なくともいずれか一方は、内部側操作部および外部側操作部のうちのいずれか一方を能動化し、かつ他方を不能動化する操作切替部を有することを特徴とする携帯型情報処理装置。
【０２３６】
内部側操作部および外部側操作部のうち少なくともいずれか一方が有する操作切替部によって、内部側操作部および外部側操作部のうちのいずれか一方を能動化し、かつ他方を不能動化することができるので、所定の情報を入力する操作部を容易に選択することができ、内部側操作部および外部側操作部のうちいずれか一方のみを能動化することによって、内部側操作部および外部側操作部のうち他方が他の物体に接触して、誤動作することを防止できる。
【０２３７】
（５）前記状態検出部は、櫛歯状に形成される一方の個別接点と他方の個別接点とが基板の面方向に相互に間隔をあけて噛合した状態で形成される個別接点部と、第１および第２可動部を相互に対向させた折り畳み状態、または前記折り畳み状態で対向する領域が外部に露出する展開状態で、前記個別接点を相互に電気的に接続する共通接点部とを有することを特徴とする携帯型情報処理装置。
【０２３８】
第１および第２可動部を相互に対向させた折り畳み状態または前記折り畳み状態で対向する領域が外部に露出する展開状態で、櫛歯状に形成される一方の個別接点と他方の個別接点とが基板の面方向に相互に間隔をあけて噛合した状態で形成される個別接点に、それぞれの個別接点に相互に電気的に接続される共通接点部が接続されるので、接点の開閉状態によって第１および第２可動部が折り畳み状態であるのか、または展開状態であるのかを容易に検出することができる。
【０２３９】
一方および他方の櫛歯状の個別接点が有する複数の舌状部に、共通接点部が接続されるので、一部の舌状部が共通接点と接触しない場合であっても、その他の舌状部は、共通接点部との接触状態が保持され、一方および他方の個別接点を確実に接続することができ、不完全な接触状態であっても、第１および第２可動部の折り畳み状態および展開状態を確実に検出することができる。
【０２４０】
（６）前記外部に露出する領域に、外部に臨んで設けられる撮像部と、内部側操作部および外部側操作部のうちいずれか一方によって入力された所定の情報に応答して撮像部に撮像させ、撮像部によって撮像された画像を、前記所定の情報を入力した内部側操作部および外部側操作部のうちいずれか一方に対応する内部側表示部および外部側表示部のうち少なくともいずれか一方に表示させる制御部とを含むことを特徴とする携帯型情報処理装置。
【０２４１】
撮像部は、内部側操作部および外部側操作部のいずれか一方から入力される所定の情報に応答して撮像する。撮像部は、第１可動部および第２可動部が折り畳み状態で外部に露出する領域に、外部に臨んで設けられるので、折り畳んだ状態であっても、所望の画像を撮像することができる。
【０２４２】
（７）前記制御部は、撮像部によって撮像された画像を、外部側表示部に表示させた状態で、外部側操作部を、撮像に関連する指令を入力可能な指令入力機能に設定することを特徴とする携帯型情報処理装置。
【０２４３】
前記制御部は、撮像部によって撮像された画像を、外部側表示部に表示させた状態で、外部側操作部を、撮像に関連する指令、たとえば撮像部が撮像するときの撮像倍率の変更指令などを入力可能な指令入力機能に設定する。これによって外部側表示部に撮像部によって撮像された画像を表示させた状態で、外部側操作部によって、たとえば撮像に関する設定を変更することができ、利便性がさらに向上される。
【０２４４】
（８）前記制御部は、内部側表示部および外部側表示部のうちいずれか一方に、撮像に関連する複数の機能の中から希望する機能を設定するための複数の機能表示ボタンを表示させ、前記内部側操作部および外部側操作部には、前記複数の機能表示ボタンに対応する複数の機能設定操作ボタンがそれぞれ設けられることを特徴とする携帯型情報処理装置。
【０２４５】
内部側表示部および外部側表示部には、撮像に関連する複数の機能の中から、操作者が希望する機能を設定するための複数の機能表示ボタンが表示される。内部側操作部の機能設定操作ボタンを操作することによって、内部側表示部に表示される機能表示ボタンに対応する機能を設定することができる。また外部側操作部の機能設定操作ボタンを操作することによって、外部側表示部に表示される機能表示ボタンに対応する機能を設定することができる。
【０２４６】
（９）前記制御部は、内部側表示部に表示させる前記複数の機能表示ボタンに比べて設定可能な機能が制限された状態で、前記外部側表示部に機能設定表示ボタンを表示させることを特徴とする携帯型情報処理装置。
【０２４７】
制御部は、表示される機能表示ボタンの数を制限して外部側表示部に表示させてもよく、たとえばセルフタイマーの時間などの設定を、予め定める時間で設定するなど、設定可能な機能のレベルを制限して外部側表示部に表示させてもよい。
【０２４８】
（１０）前記機能設定操作ボタンによって設定された情報を記憶する設定情報記憶部を有することを特徴とする携帯型情報処理装置。
【０２４９】
情報設定記憶部に前記機能設定操作ボタンによって設定された情報を記憶するので、一度設定された情報を維持することができる。
【図面の簡単な説明】
【０２５０】
【図１】本発明の実施の一形態の携帯型情報処理装置１１を一方側から見た斜視図である。
【図２】携帯型情報処理装置１１を他方側から見た斜視図である。
【図３】携帯型情報処理装置１１の電気的構成を示すブロック図である。
【図４】図４（ａ）および（ｂ）は、状態検出スイッチ３９を示す断面図である。
【図５】状態検出スイッチ３９の個別接点部４４を示す平面図である。
【図６】撮像部１８で撮像した画像を外部側表示部１６に表示させたときの表示内容を示す図である。
【図７】外部側表示部１６に表示される機能メニュー画面６８を示す図である。
【図８】撮像部１８によって撮像するときの制御部３１の処理動作を示すフローチャートである。
【図９】本発明の実施のさらに他の形態の携帯型情報処理装置７１の斜視図である。
【図１０】本発明の実施のさらに他の形態の携帯型情報処理装置８１の斜視図である。
【図１１】本発明の実施のさらに他の形態の携帯型情報処理装置１００の外部側表示部１６と外部側操作部１７の背面キーとの関係を表す図である。
【図１２】折り畳み状態の携帯型情報処理装置１００の撮像部１８を含む一表面部を表す図である。
【図１３】展開状態の携帯型情報処理装置１００を、その厚み方向一方側から見た図である。
【図１４】折り畳み状態の携帯型情報処理装置１００の一側面図である。
【図１５】折り畳み状態の携帯型情報処理電話装置１００の他側面図である。
【図１６】携帯型情報端末装置１００の電気的構成を示すブロック図である。
【図１７】携帯型情報処理装置１００の撮像に関する動作を示すフローチャートである。
【図１８】携帯型情報処理装置１００の撮像に関する動作を示すフローチャートである。
【図１９】携帯型情報処理装置１００の撮像に関する動作を示すフローチャートである。
【図２０】携帯型情報処理装置１００の撮像に関する動作を示すフローチャートである。
【０２５１】
【図２１】携帯型情報処理装置１００の撮像に関する動作を示すフローチャートである。
【図２２】携帯型情報処理装置１００の撮像に関する動作を示すフローチャートである。
【図２３】カメラモードでの外部側表示部１６の表示画面１５０を示す図である。
【図２４】フォーカスロックさせた後の外部側表示部１６の表示画面１５０を示す図である。
【図２５】仮保存した撮像画像を表示させた外部側表示部１６の表示画面１５０を示す図である。
【図２６】サブメニュー３０１が表示された外部側表示部１６の表示画面１５０を示す図である。
【図２７】サブメニュー３０１が表示された外部側表示部１６の表示画面１５０を示す図である。
【図２８】表示状態が切替えられた外部側表示部１６の表示画面１５０を示す図である。
【図２９】従来の技術の携帯型情報処理装置である携帯電話装置１を一方側から見た斜視図である。
【図３０】携帯電話装置１を他方側から見た斜視図である。
【符号の説明】
【０２５２】
１１，７１，８１,１００  携帯型情報処理装置
１２  第１可動部
１３  第２可動部
１４  内部側操作部
１５  内部側表示部
１６  外部側表示部
１７，７２  外部側操作部
１８  撮像部
３１  制御部
３９  状態検出スイッチ
２０４  設定情報記憶部
【図１】
0003691830.tif 000003
【図２】
0003691830.tif 000004
【図３】
0003691830.tif 000005
【図４】
0003691830.tif 000006
【図５】
0003691830.tif 000007
【図６】
0003691830.tif 000008
【図７】
0003691830.tif 000009
【図８】
0003691830.tif 000010
【図９】
0003691830.tif 000011
【図１０】
0003691830.tif 000012
【図１１】
0003691830.tif 000013
【図１２】
0003691830.tif 000014
【図１３】
0003691830.tif 000015
【図１４】
0003691830.tif 000016
【図１５】
0003691830.tif 000017
【図１６】
0003691830.tif 000018
【図１７】
0003691830.tif 000019
【図１８】
0003691830.tif 000020
【図１９】
0003691830.tif 000021
【図２０】
0003691830.tif 000022
【図２１】
0003691830.tif 000023
【図２２】
0003691830.tif 000024
【図２３】
0003691830.tif 000025
【図２４】
0003691830.tif 000026
【図２５】
0003691830.tif 000027
【図２６】
0003691830.tif 000028
【図２７】
0003691830.tif 000029
【図２８】
0003691830.tif 000030
【図２９】
0003691830.tif 000031
【図３０】
0003691830.tif 000032